(57)【特許請求の範囲】
【請求項１】
移動通信システムの基地局で順方向リンクチャネルの制御データを伝送する方法において、
前記基地局が順方向／逆方向トラヒックチャネルデータを有しているかを判断する過程と、
予め設定された時間の間、トラヒックデータがない場合、ランダム位置選定器を駆動して、スクランブリング符号を用いて、あるいは、対応する断続スロットグループに関連した固定されたシーケンスを用いて、断続するスロット位置を疑似ランダムに決定する過程と、
前記決定されたスロット位置で前記制御データを断続する過程と、
その以外の位置では前記制御データを断続しない過程と
を含むことを特徴とする方法。
【請求項２】
前記チャネルデータはフレームの列を備え、前記各フレームは複数のスロットを備え、前記各フレーム内の前記スロットは複数のスロットを有するスロットグループに分割され、前記スロットグループは決定された断続スロット位置を有することを特徴とする請求項１に記載の前記方法。
【請求項３】
前記フレームは１５個のスロットに構成され、前記スロットグループは５個のスロットに構成され、前記決定されたスロット位置は前記スロットグループ内のスロット中、任意のスロット位置であることを特徴とする請求項２に記載の前記方法。
【請求項４】
前記フレームは１５個のスロットに構成され、前記各スロットグループは３個のスロットに構成されることを特徴とする請求項２に記載の前記方法。
【請求項５】
ランダム位置選定器が断続するスロット位置を決定する過程は、
送信直前のシステムフレーム番号に特定定数をかけてｘを求める過程と、
以前断続スロットグループのスクランブリング符号のスタート時点から前記ｘチップだけ離れた位置でｎ個のビットを選択する過程と、
前記選択されたｎ個のビットを前記スロットグループを構成するスロットの数にモジューロ演算して、該当スロットグループの断続するスロット位置を決定する過程と
からなることを特徴とする請求項２に記載の前記方法。
【請求項６】
前記ランダム位置選定器は、下記式を利用して断続するスロット位置を決定することを特徴とする請求項２に記載の前記方法。
【数１】
0003961829.tif 000009
【請求項７】
前記ランダム位置選定器は、一番目スロットグループと最終スロットグループを除いて、下記式を利用して断続するスロット位置を決定することを特徴とする請求項２に記載の前記方法。
【数２】
0003961829.tif 000010
Ａｊ：固定されたシーケンスにｊビットオフセットを適用して得られたシーケンス
Ｃｉ：ＣＮＦを反復して得られたシーケンス
ＳＧ：一つのスロットグループを構成するスロットの個数
ＮＧ：一つのフレームを構成するスロットの個数
【請求項８】
前記ランダム位置選定器は、前記一番目スロットを除いて、一番目断続スロットグループの断続スロット位置を決定することを特徴とする請求項７に記載の前記方法。
【請求項９】
前記ランダム選定器は、最終断続スロットグループの前記断続位置を最終スロットとして決定することを特徴とする請求項８に記載の前記方法。
【請求項１０】
前記断続される制御データは、パイロットシンボル及びＴＰＣビットを含むことを特徴とする請求項２に記載の前記方法。
【請求項１１】
前記断続される制御データは、前記決定された断続スロット位置に位置されたＴＰＣビット及び前記決定された断続スロット位置の以前スロットに位置されたパイロットシンボルを含むことを特徴とする請求項２に記載の前記方法。
【請求項１２】
前記基地局は、前記予め設定された時間の間、前記順方向及び逆方向トラヒックチャネルを通じて伝送するデータがない場合、断続スタート時間及び断続率を含む断続情報を伝送することを特徴とする請求項１に記載の前記方法。
【請求項１３】
移動通信システムの移動局で逆方向リンクチャネルの制御データを伝送する方法において、
前記移動局が基地局に伝送する逆方向トラヒックチャネルデータを有しているかを判断する過程と、
予め設定された時間の間、前記逆方向データチャネルを通じて伝送するデータがない場合、前記基地局に逆方向リンク制御データの断続伝送を要求する過程と、
前記移動局が前記基地局から断続スタート時間及び断続率を含む断続情報を受信すると、前記断続スタート時間を用いて断続伝送のスタート時間を決定するとともに前記断続率を用いて断続伝送の断続率を決定し、スクランブリング符号を用いて、あるいは、対応する断続スロットグループに関連した固定されたシーケンスを用いて、断続するスロット位置を疑似ランダムに決定するためのランダム位置選定器を駆動する過程と、
前記決定されたスロット位置で前記制御データを断続する過程と、
その以外のスロットの位置では前記制御データを断続しない過程と
を含むことを特徴とする方法。
【請求項１４】
フレームの列を備え、各フレームは複数のスロットを備え、前記各フレーム内の前記スロットは複数のスロットを有する複数のスロットグループに分割され、前記フレーム中のi番目フレーム内の前記複数スロットを利用してデータを断続する方法において、
下記式（１）乃至式（３）により決定されたスロット位置でデータを伝送することを特徴とする方法。
【数３】
0003961829.tif 000011
ｊはｉ番目フレームで断続スロットグループの個数
Ｃｉは前記i番目ＣＦＮを反復して得られたシーケンス
Ａｊは与えられたシーケンスにｊビットオフセットを加えて得られたシーケンスで、ｊ番目スロットグループのシーケンス
ＳＧは一つの電力制御グループを構成するスロットの個数
ＮＧは一つのフレームを構成する電力制御スロットの個数。
【請求項１５】
フレームの列を備え、各フレームは複数のスロットを備え、前記各フレーム内の前記スロットは複数のスロットを有する複数のスロットグループに分割され、前記フレーム中のi番目フレーム内の前記複数スロットを利用してデータを断続する方法において、
下記断続スロット位置式を利用して断続スロットグループの断続スロット位置を決定することを特徴とする方法。
【数４】
0003961829.tif 000012
ｓ(ｉ,ｊ)：ｉ番目フレームでｊ番目断続スロットグループ内のスロット位置
ｊ：ｉ番目フレーム内のスロットグループの数  Ｃｉ：ｉ番目フレーム番号を反復して得られたシーケンス
Ａｊ：与えられたシーケンスにｊビットオフセットを適用して得られたシーケンスで、ｊ番目断続スロットグループ
決定された断続スロット位置でＴＰＣビットを断続し、その以外スロットのＴＰＣビットは断続しないことを特徴とする前記方法。
【請求項１６】
前記データを断続伝送する過程は、
前記決定された断続スロット位置でＴＰＣビットを断続する段階と、
前記決定された断続スロット位置の先に位置されるスロットのパイロットシンボルを断続する段階と
を含むことを特徴とする請求項１５に記載の方法。
【請求項１７】
前記断続スロット位置を決定する過程は、
前記i番目フレームの一番目スロットグループ内の断続スロット位置を、下記式を使用して決定する段階をさらに含むことを特徴とする請求項１５に記載の方法。
【数５】
0003961829.tif 000013
【請求項１８】
前記断続スロットを決定する過程は、
前記ｉ番目フレームの最終スロットグループ内での断続スロット位置を最終スロットに決定する過程をさらに含むことを特徴とする請求項１５に記載の方法。
【請求項１９】
逆方向ＤＰＣＣＨはフレームの列を備え、前記フレームは複数のスロットを設ける移動通信システムの逆方向ＤＰＣＣＨの断続送信方法において、
基地局から断続スタート時間及び断続率を示す断続情報を受信する段階と、
前記断続情報を受信すると、前記断続スタート時間を用いて断続送信のスタート時間を決定するとともに前記断続率を用いて断続送信の断続率を決定し、スクランブリング符号を用いて、あるいは、対応する断続スロットグループに関連した固定されたシーケンスを用いて、予め設定された区間の間、前記ＤＰＣＣＨスロット信号を疑似ランダムなパターンに伝送する段階と
からなることを特徴とする断続送信方法。
【請求項２０】
前記疑似ランダムなパターンは下記数式を利用して断続するスロット位置を決定することにより発生されることを特徴とする請求項１９に記載の方法。
【数６】
0003961829.tif 000014
ｊ：ｉ番目フレームで断続スロットグループの個数
Ｃｉ：ｉ番目フレーム番号を反復して得られたシーケンス
Ａｊ：与えられたシーケンスにｊビットオフセットを適用して得られたシーケンス
ＳＧ：一つのスロットグループを構成するスロットの個数
ＮＧ：一つのフレームを構成するスロットの個数
【請求項２１】
トラヒックチャネルデータ及び専用制御チャネルデータはそれぞれフレームの列を備え、前記各フレームは複数のスロットを設ける移動通信システムの基地局送信装置において、
予め設定された時間の間、トラヒックチャネルを通じて伝送するデータがない場合、スクランブリング符号を用いて、あるいは、対応する断続スロットグループに関連した固定されたシーケンスを用いて、断続するスロット位置を決定し、各フレーム内の前記スロットを疑似ランダム断続スロット位置を有する複数のスロットグループに分割する断続位置選定器と、
前記選定された断続位置に該当する前記専用制御チャネルのスロットを制御する断続送信制御器と
からなることを特徴とする移動通信システムの基地局送信装置。
【請求項２２】
前記断続位置選定器は、下記数式１乃至３を利用して断続スロット位置を決定することを特徴とする請求項２１に記載の基地局送信装置。
【数７】
0003961829.tif 000015
ｊ：ｉ番目フレームで断続スロットグループの個数
Ｃｉ：ｉ番目フレーム番号(ＣＦＮ＝ｉ)を反復して得られたシーケンス
Ａｊ：与えられたシーケンスにｊビットオフセットを適用して得られたシーケンスで、ｊ番目断続スロットグループのシーケンス
ＳＧ：一つのスロットグループを構成するスロットの個数
ＮＧ：一つのフレームを構成するスロットの個数
【請求項２３】
前記断続位置選定器は下記数式を利用して断続スロット位置を決定することを特徴とする請求項２１に記載の基地局の送信装置。
【数８】
0003961829.tif 000016
ｓ(ｉ,ｊ)：ｉ番目フレームでｊ番目断続スロットグループ内のスロット位置
ｊ：ｉ番目フレーム内のスロットグループの個数
Ｃｉ：ｉ番目フレーム番号を反復して得られたシーケンス
Ａｊ：与えられたシーケンスにｊビットオフセットを適用して得られたシーケンスで、前記ｉ番目フレーム内のｊ番目断続スロットグループのシーケンス
【請求項２４】
前記断続位置選定器は下記数式を利用して断続スロット位置を決定することを特徴とする請求項２１に記載の基地局の送信装置。
【数９】
0003961829.tif 000017
ｓ(ｉ,ｊ)：ｉ番目フレームでｊ番目断続スロットグループ内のスロット位置
ｊ：ｉ番目フレーム内のスロットグループの個数
Ｃｉ：ｉ番目フレーム番号を反復して得られたシーケンス
Ａｊ：与えられたシーケンスにｊビットオフセットを適用して得られたシーケンスで、ｊ番目断続スロットグループのシーケンス
【請求項２５】
前記断続位置選定器は下記式を利用して断続スロット位置を決定することを特徴とする請求項２１に記載の基地局の送信装置。
【数１０】
0003961829.tif 000018
ｓ(ｉ,ｊ)：ｉ番目フレームでｊ番目断続スロットグループ内のスロット位置
ｊ：ｉ番目フレーム内のスロットグループの個数
Ｃｉ：ｉ番目フレーム番号(ＣＦＮ＝ｉ)を反復して得られたシーケンス
Ａｊ：与えられたシーケンスにｊビットオフセットを適用して得られたシーケンスで、ｊ番目断続スロットグループのシーケンス
【請求項２６】
前記断続送信制御器は、前記断続が決定されたスロットの前に位置されるスロットのパイロットシンボルと、断続が決定されたスロットのＴＰＣ及びＴＦＣＩを断続することを特徴とする請求項２２に記載の基地局の送信装置。
【請求項２７】
トラヒックチャネルデータ及び専用制御チャネルのデータはそれぞれフレームの列を備え、前記各フレームは複数のスロットを設ける移動通信システムの移動局送信装置において、
移動局が基地局から断続スタート時間及び断続率を含む断続情報を受信すると、前記断続スタート時間を用いて断続送信のスタート時間を決定するとともに前記断続率を用いて断続送信の断続率を決定し、スクランブリング符号を用いて、あるいは、対応する断続スロットグループに関連した固定されたシーケンスを用いて、断続スロット位置を決定し、各フレーム内の前記スロットを疑似ランダム断続スロット位置を有する複数のスロットグループに分割する断続位置選定器と、
前記選定された断続スロット位置は断続し、その以外のスロット信号は断続しない断続送信制御器と
からなることを特徴とする移動通信システムの移動局の送信装置。
【請求項２８】
フレームの列を備え、各フレームは複数のスロットを備え、前記各フレーム内の前記スロットは複数のスロットを有する複数のスロットグループに分割され、前記フレーム中のi番目フレーム内の前記複数スロットのデータを断続する装置において、
前記i番目フレーム番号を反復して得られたシーケンスＣｉを貯蔵する第１メモリと、
与えられたシーケンスをj番シフトして得られた前記フレーム内のj番目スロットグループのシーケンスＡｊを貯蔵する第２メモリと、
前記シーケンスＣｉ及びＡｊを排他的論理和演算する乗算器と、
前記排他的論理和演算された信号をスロットグループ内のスロット数にモジューロ演算して該当スロットグループ内のスロット断続位置を決定するモジューロ演算器と、
前記決定された断続スロット位置でのデータを断続し、その以外のスロットデータは断続しない断続伝送制御器と
からなることを特徴とする断続装置。
【請求項２９】
前記断続伝送制御器は、
前記決定された断続スロット位置のＴＰＣと前記決定された断続スロット位置の以前に位置されるスロットのパイロットシンボルを伝送することを特徴とする請求項２８に記載の前記装置。
【請求項３０】
前記モジューロ演算器は、
前記一番目断続スロットグループの一番目スロットを除外した残りのスロットうち一つのスロットを前記第１断続スロットグループの断続スロット位置に決定することを特徴とする請求項２８に記載の前記装置。
【請求項３１】
前記モジューロ演算器は、
前記最終スロットグループ内の断続位置を最終スロットに決定することを特徴とする請求項２８に記載の装置。
【発明の詳細な説明】
【０００１】
【発明の属する技術分野】
本発明は符号分割多重接続通信システムのデータ通信装置及び方法に関するもので、特に伝送するデータの有無によって、データを断続的に送信及び受信することができる装置及び方法に関する。
【０００２】
【従来の技術】
従来の符号分割多重接続(Code Division Multiple Access：以下、ＣＤＭＡ)方式の移動通信システムは、主に音声サービスを提供したが、現在では、音声だけではなく、高速のデータ伝送が可能なＩＭＴ−２０００規格に発展することになった。前記ＩＭＴ−２０００規格の移動通信システムは、高品質の音声、動画像、インターネット検索などのサービスが可能である。ＩＭＴ-２０００規格の移動通信システムは、データ通信サービス時に、トラヒックデータ伝送が遂行される間に、データチャネル(Data Channel)を通じてトラヒックデータを伝送し、制御チャネルを通じて前記トラヒックデータと対(直列、または並列)に制御データを伝送する。ここで、前記トラヒックデータは音声、画像、パケットデータなどをすべて含む用語として使用し、前記制御データはトラヒックデータの伝送に関連した制御及びシグナリングデータを含む用語として使用する。
【０００３】
前記移動通信システムで遂行されるデータ通信の特性は、データの発生が瞬間に集中的になされ、相対的にデータの伝送が発生しない状態が長い間持続される休止期間が頻繁に発生するものである。従来の移動通信システムで、前記基地局及び移動局は、伝送するトラヒックデータがない場合にも、一定時間の間、前記制御チャネルのデータを連続的に伝送する。即ち、伝送するトラヒックデータがない間にも前記基地局及び移動局は、制限された無線資源、基地局容量、移動局の電力消耗、干渉などを考慮せず、制御チャネルのデータを連続的に伝送する。これは、伝送するトラヒックデータが新しく発生した時、同期再獲得などにより発生する時間遅延を最小化するためである。そして一定時間以上伝送するデータがないと、前記基地局と移動局は、前記データチャネル及び制御チャネルを解除する。この時、前記データチャネル及び制御チャネルが解除された状態でさらに伝送するデータが発生すると、前記基地局と移動局は新しいデータチャネル及び制御チャネルを設定する。
【０００４】
ＩＭＴ２０００規格の移動通信システムは、音声だけではなく、パケットのようなデータサービスを遂行する時、チャネルの割り当て状況や状態情報の有無によって各種状態を定義している。例えば、セル連結状態、使用者データ活性副状態(Radio Bearer Activated Mode:ＲＢＡモード)及び制御維持副状態(Radio Bearer Suspended mode:ＲＢＳモード)などに対する状態遷移図は、３ＧＰＰ ＲＮＡ ＴＳ Ｓ２(Ｓ２.０３,９９.０４)文書によく示されている。
【０００５】
図１Ａは従来の移動通信システムのセル連結状態(Cell Connected State)内での状態遷移(State Transition)を示している。前記図１Ａを参照すると、セル連結状態は、ＰＣＨ(Paging Channel)状態、ＲＡＣＨ(Random Access Channel)／ＤＳＣＨ(Downlink Shared Channel)状態、ＲＡＣＨ(Random Access Channel)／ＦＡＣＨ(Forward link Access Channel)状態、ＤＣＨ(Dedicated Channel)／ＤＣＨ、ＤＣＨ／ＤＣＨ＋ＤＳＣＨ、ＤＣＨ／ＤＳＣＨ＋ＤＳＣＨ Ctrl(Control Channel)状態などで構成される。
【０００６】
図１Ｂは、前記ＤＣＨ／ＤＣＨ、ＤＣＨ／ＤＣＨ＋ＤＳＣＨ、ＤＣＨ／ＤＳＣＨ＋ＤＳＣＨ Ctrl状態内の使用者データ活性副状態(ＲＢＡモード)及び制御維持副状態(ＲＢＳモード)を示している。
インターネットアクセス及びファイルダウンロードようなデータの伝送は、間欠的に発生する場合が多い。従って、前記データを通信する場合には、ある程度のパケットデータを伝送した後、次のパケットデータを伝送するまでデータを伝送しない期間が発生する。このようなデータの伝送休止期間の間、従来のデータ伝送方法は、データチャネル(Data Channel)を解除するか、データチャネルをそのままに維持する。前記専用データチャネルを解除すると、再接続するのに相当な時間がかかり、該当サービスを実時間に提供することが難しい。一方、前記専用データチャネルをそのままに維持すると、チャネルの浪費をもたらすようになる。
【０００７】
基地局から移動局への順方向リンク(downlink or forward link)は、次のような物理チャネルを含む。ここでは本発明の実施形態で言及されない物理チャネルに対する説明は省略する。前記順方向リンク物理チャネルは、同期獲得及びチャネル推定のためのパイロットシンボルなどが含まれている専用制御チャネル(Dedicated Physical Control CHannel、以下、ＤＰＣＣＨ)と、特定移動局とトラヒックデータを通信する専用データチャネル(Dedicated Physical Data CHannel、以下、ＤＰＤＣＨ)と、トラヒックデータを多数の移動局に伝送するための順方向リンク共有チャネル(以下、ＤＳＣＨ)などがある。前記順方向ＤＰＤＣＨはトラヒックデータで構成され、順方向ＤＰＣＣＨは伝送フォマット組合表示(Transport Format Combination Indicator、以下、ＴＦＣＩ)、電力制御ビット(Transmit Power Control、以下、ＴＰＣ)、パイロットシンボルなどを含む制御データが一つのスロット(slot)内に含まれ、一つのスロット内に時間的にマルチプレクシングされている。そして移動局から基地局への逆方向リンク(Uplink or reverse link)のチャネルも、前記専用制御チャネル及び専用データチャネルを備える。
【０００８】
本発明の実施形態では、一つのフレーム長さが１０msecであり、一つのフレームは１６個のスロット(一つのスロット長さが０．６２５msec)に構成される場合に関して説明する。また本発明の実施形態では、一つのフレーム長が１０msecであり、一つのフレームは１５個のスロット(一つのスロット長が０.６６７msec)に構成される場合に関しても説明する。ここで前記スロットは電力制御群(power control group)と同一の長さを有することができ、また前記電力制御群と異なる長さを有することもできる。ここでは前記電力制御群(０.６２５msecまたは０.６６７msec)とスロット(０.６２５msecまたは０.６６７msec)が同一の時間間隔を有すると仮定する。前記スロット内にはパイロットシンボル、トラヒックデータ、伝送フォマット組合表示、電力制御命令ビットなどが含まれる。前記値は本発明の説明のために選択された値であり、必須的な要素ではない。
【０００９】
図２Ａは前記順方向ＤＰＤＣＨとＤＰＣＣＨを含むスロット(Slot)の構造を示した図である。前記図２ＡでＤＰＤＣＨはトラヒックデータ１(Data１)とトラヒックデータ２(Data２)に区分されているが、トラヒックデータの種類によってトラヒックデータ１が存在せず、トラヒックデータ２のみが存在することもできる。前記図２ＡでＤＰＣＣＨはＴＦＣＩ、ＴＰＣ、ＰＩＬＯＴの順に構成される。下記表１は順方向ＤＰＤＣＨ／ＤＰＣＣＨフィールドを構成するシンボルに対する例を示したもので、データの伝送速度及び拡散係数(spreading factor:ＳＦ)などによって、一つのスロット内のＴＦＣＩ、ＴＰＣ、パイロットビットの数が変わることができる。
【００１０】
一方、移動局から基地局への逆方向リンクは、前記順方向ＤＰＤＣＨ及びＤＰＣＣＨと異なり、前記ＤＰＤＣＨ及びＤＰＣＣＨがそれぞれ独立的なチャネル区分符号により区分されている。
【００１１】
図２Ｂは前記逆方向ＤＰＤＣＨとＤＰＣＣＨを含むスロット構造を示した図であり、参照符号２１１はＤＰＤＣＨのスロット構造を示しており、参照符号２１３はＤＰＣＣＨのスロット構造を示している。前記図２ＢでＤＰＣＣＨはサービスオプション(トラヒックデータの種類や送信アンテナダイバーシティを含む)やハンドオーバのような状況によって、スロット内のＴＦＣＩ、ＴＰＣ、パイロットビットの数が変わることができる。下記表２及び表３は逆方向ＤＰＤＣＨフィールドと逆方向ＤＰＣＣＨフィールドを構成するシンボルに対する例を示したものである。
【００１２】
【表１】
0003961829.tif 000002
【００１３】
【表２】
0003961829.tif 000003
【表３】
0003961829.tif 000004
【００１４】
前記表１、表２及び表３はトラヒックチャネルであるＤＰＤＣＨが一つである場合を示したものであるが、サービスの種類によって第２、第３、第４ＤＰＤＣＨが存在することができ、順方向及び逆方向ＤＰＤＣＨに関係なしＤＰＤＣＨが多数個存在することができる。以下の前記基地局送信器及び移動局送信器の説明で、専用データチャネルＤＰＤＣＨが３個存在する場合を例に挙げて説明するが、前記ＤＰＤＣＨの数は少なくとも一つ以上であり、その数に制限されない。
【００１５】
図３Ａは従来の基地局送信器の簡略な構成を示している。前記図３Ａを参照すると、乗算器１１１、１２１、１３１、１３２は、チャネル符号化及びインタリービングを遂行したＤＰＣＣＨ及びＤＰＤＣＨデータ発生器１０１、１０２、１０３、１０４の出力を受信し、それぞれ対応するチャネルの利得係数Ｇ1、Ｇ2、Ｇ3、Ｇ4をかける。前記利得係数Ｇ1、Ｇ2、Ｇ3、Ｇ4はサービスの種類(Class of Service)やハンドオーバ(handover)などのような状況によって相異なる値を有することもできる。マルチプレクサ１１２は乗算器１１１及び１２１でそれぞれ出力されるＤＰＣＣＨとＤＰＤＣＨ1のデータを、時間的にマルチプレクシングして、前記図２Ａのようなスロット構造を有するようにする。第１信号変換器１１３は直並列変換器として、前記マルチプレクサ１１２の出力をＩチャネルとＱチャネルに分配する機能を遂行する。第２信号変換器１３３と第３信号変換器１３４は、前記乗算器１３１及び１３２で出力されるＤＰＤＣＨ2及びＤＰＤＣＨ3のデータを、それぞれ直並列変換してＩチャネルとＱチャネルに分配する機能を遂行する。
【００１６】
前記直並列変換されたＩ及びＱチャネル信号はそれぞれ対応する乗算器１１４、１２２、１３５、１３６、１３７、１３８に印加され、それぞれ対応するチャネル区分符号(Channelization codes)Ｃch1、Ｃch2、Ｃch3と掛けられて、拡散及びチャネル区分される。ここで前記チャネル区分符号には、直交符号(orthogonal code)が使用される。前記乗算器１１４、１２２、１３５、１３６、１３７、１３８でチャネル区分符号と掛けられたＩ及びＱチャネル信号は、それぞれ対応する第１合算器１１５と第２合算器１２３により合算される。即ち、前記合算器１１５及び１２３は、前記信号を合算してそれぞれＩチャネルとＱチャネルの信号に生成する。前記Ｉチャネル信号は、第１合算器１１５で合算され出力され、前記Ｑチャネル信号は、第２合算器１２３で合算され出力される。前記第２合算器１２３の出力は、位相遷移器１２４で９０゜位相が変わる。すると、合算器１１６は、前記第１合算器１１５の出力と位相遷移器１２４の出力を合算して、複素信号Ｉ＋ｊＱ信号を生成する。乗算器１１７は、前記複素信号を、各基地局別に割り当てられたＰＮシーケンス(Ｃscramb)に掛けて、複素スクランブリングされた信号を発生させ、信号変換器１１８は、前記複素スクランブリングされた信号を、実数部分と虚数部分に分離して、Ｉチャネル及びＱチャネルに分配する。前記信号変換器１１８の出力は、それぞれＩチャネル及びＱチャネル別に低域ろ波器１１９と１２５を通過して、帯域幅が制限された信号が生成される。前記ろ波器１１９及び１２５の出力は、それぞれ乗算器１２０と１２６で搬送波と掛けられて高周波帯域に遷移(frequency up converting)され、合算器１２７は前記ＩチャネルとＱチャネルの信号を合わせて出力する。
【００１７】
図３Ｂは、従来の移動局送信器の簡略な構成を示している。
前記図３Ｂを参照すると、乗算器２１１、２２１、２２３、２２５は、それぞれチャネル符号化及びインタリービングを遂行したＤＰＣＣＨ及びＤＰＤＣＨデータ発生器２０１、２０２、２０３、２０４の出力に、それぞれ対応するチャネル区分符号(Channelization code)Ｃch1、Ｃch2、Ｃch3、Ｃch43をかけて、各チャネルの区分及び拡散する機能を遂行する。前記チャネル区分符号には、直交符号が使用される。前記乗算器２１１、２２１、２２３、２２５の出力信号は、それぞれ乗算器２１２、２２２、２２４、２２６で対応するチャネルの利得係数Ｇ1、Ｇ2、Ｇ3、Ｇ4と掛けられる。前記利得係数Ｇ1、Ｇ2、Ｇ3、Ｇ4は、相異なる値を有することもできる。
【００１８】
前記乗算器２１２、２２２の出力は、第１合算器２１３で合算されてＩチャネル信号に出力され、乗算器２２４、２２６の出力は、第２合算器２２７で合算されてＱチャネル信号に出力される。第２合算器２２７の出力であるＱチャネル信号は、位相遷移器２２８で９０゜位相が変わる。以後、合算器２１４は、前記第１合算器２１３の出力と位相遷移器２２８の出力を合算して複素信号Ｉ＋ｊＱ信号を生成する。すると乗算器２１５は、前記複素信号を各移動局別に割り当てられたＰＮシーケンス(Ｃscramb)に掛けて複素スクランブリングされた信号を発生し、信号変換器２２９は、前記スクランブリングされた信号を実数部分と虚数部分に分離して、Ｉチャネル及びＱチャネルに分配する。前記信号変換器２２９の出力は、Ｉチャネル及びＱチャネル別にそれぞれ低域ろ波器２１６と２３０を通過して帯域幅が制限された信号を発生する。前記低域ろ波器２１６、２３０の出力信号は、それぞれ乗算器２１７と２３１で搬送波と掛けられて高周波帯域に遷移され、合算器２１８はＩチャネルとＱチャネルの信号を合わせて出力する。
【００１９】
図４Ａは、逆方向ＤＰＤＣＨの伝送が中止される場合の、制御維持副状態での順方向ＤＰＣＣＨ及び逆方向ＤＰＣＣＨ信号の従来の送信方法を示す図である。図４Ｂは、順方向ＤＰＤＣＨの伝送が中止される場合の、制御維持副状態での順方向ＤＰＣＣＨ及び逆方向ＤＰＣＣＨ信号の従来の送信方法を示す図である。
前記図４Ａ及び図４Ｂに示したように、移動局は、基地局での再同期獲得過程を避けるために、制御維持副状態で連続的に逆方向ＤＰＣＣＨを送信する。前記制御維持副状態で長い時間の間、伝送するトラヒックデータがない場合に、基地局と移動局が連結解除状態(ＲＲＣ(Radio Resource Control) connection released state)に遷移すると、前記逆方向ＤＰＣＣＨの送信は中断されるが、前記状態遷移が完了するまで、移動局は前記ＤＰＣＣＨを通じてパイロットシンボルと電力制御ビットを送信するので、逆方向リンクの干渉を増加させる。前記逆方向リンク干渉増加は、逆方向リンクの容量を減少させる。
【００２０】
前記従来の方式で、逆方向ＤＰＣＣＨの連続的な送信は、基地局での同期再捕捉過程を避けることができる利点はあるが、逆方向リンクに干渉を増加させることにより逆方向リンクの容量を減少させる。また順方向リンクで、逆方向電力制御ビットの連続的な伝送は、順方向リンクの干渉増加及び容量減少をもたらす。従って、前記基地局での同期再捕捉過程にかかる時間を最小化すると共に、逆方向ＤＰＣＣＨの送信による干渉増加、順方向リンクへの逆方向電力制御ビット送信による干渉増加を最小化する必要がある。
【００２１】
【発明が解決しようとする課題】
従って、本発明の目的は、移動通信システムで予め設定された時間の間、データチャネルを通じて伝送するトラヒックデータ(使用者データ、またはシグナリングメッセージ)がない場合、専用制御チャネルのデータを断続的に送信することができる装置及び方法を提供することにある。
本発明の他の目的は、移動通信システムで予め設定された時間の間、前記データチャネルを通じて伝送するトラヒックデータがない場合、不規則的なパターンに専用制御チャネルのスロットデータを断続送信することができる装置及び方法を提供することにある。
【００２２】
本発明のさらに他の目的は、移動通信システムで予め設定された時間の間、前記データチャネルを通じて伝送するトラヒックデータがない場合、断続送信手続を遂行し、前記断続送信時、設定された断続スロットグループ単位にスロットグループ内の任意スロットをランダムに断続送信することができる装置及び方法を提供することにある。
【００２３】
本発明のさらに他の目的は、移動通信システムで、基地局が予め設定された時間の間、前記データチャネルを通じて伝送するトラヒックデータがない場合、断続送信手続を遂行し、前記断続送信時、設定されたスロットグループ単位にスロットグループ内の任意スロットをランダムに断続送信することができる装置及び方法を提供することにある。
【００２４】
本発明のさらに他の目的は、移動通信システムで、移動局が基地局から断続送信手続を遂行するためのメッセージ受信時、断続送信手続を遂行し、前記断続送信時、設定されたスロットグループ単位にスロットグループ内の任意スロットをランダムに断続送信することができる装置及び方法を提供することにある。
【００２５】
本発明のさらに他の目的は、移動通信システムで予め設定された時間の間、データチャネルを通じて伝送するトラヒックデータがない場合、断続送信手続を遂行し、前記断続送信時、連結フレーム番号を設定されたスロットグループ単位にしてスロットグループ内の任意スロットをランダムに断続送信することができる装置及び方法を提供することにある。
【００２６】
本発明のさらに他の目的は、移動通信システムで専用制御チャネルのスロットデータを断続送信時、断続するスロットの前に位置されたスロットのパイロットシンボルと断続するスロット位置のＴＦＣＩ及びＴＰＣを送信することができる装置及び方法を提供することにある。
本発明のさらに他の目的は、移動通信システムで専用制御チャネルのデータを断続送信する時、電力制御情報を利用して制御データの送信電力を制御することができる装置及び方法を提供することにある。
【００２７】
【課題を解決するための手段】
このような目的を達成するために本発明は、移動通信システムの基地局で順方向リンクチャネルの制御データを伝送する方法を提供する。前記基地局は移動局に伝送する順方向データチャネルのデータがあるかを判断する過程と、予め設定された時間の間、前記順方向データチャネル(ＤＣＨ、またはＤＳＣＨ)を通じて伝送するデータがない場合、基地局はランダム位置選定器を駆動して断続するスロット位置を決定する過程と、前記決定されたスロット位置で前記制御データを断続する過程と、その以外の位置では前記制御データを断続しない過程と、からなる。また、すべてのチャネルデータはフレームの列を備え、前記各フレームは複数のスロットを備え、前記各フレーム内の前記スロットは複数のスロットグループに分割され、前記決定されたスロット位置は前記各スロットグループの任意スロット位置であることを特徴とする。
【００２８】
望ましくは、前記ランダム位置選定器が断続するスロット位置を決定する過程は、受信された信号のシステムフレーム番号(ＳＦＮ)に特定定数をかけてｘを求める過程と、順方向信号を発生させるのに利用する複数の断続区間以前に該当するゴールド符号のスタート時点から前記ｘチップ離れた位置のｎ個のビットを選択する過程と、前記選択されたビットを前記スロットグループを構成するスロットの数にモジューロ演算して、該当スロットグループの断続するスロット位置を決定する過程と、からなる。
【００２９】
【発明の実施形態】
以下、本発明の望ましい実施形態について添付図を参照しつつ詳細に説明する。下記の発明において、本発明の要旨のみを明瞭にする目的で、関連した公知機能又は構成に関する具体的な説明は省略する。
下記説明において、“ノーマル送信(normal transmission)”は、順方向、または逆方向ＤＰＣＣＨに含まれているＴＦＣＩ、ＴＰＣ、パイロットシンボルなどを連続的に送信することを意味する。また“断続送信(gated transmission)”は、順方向、または逆方向ＤＰＣＣＨに含まれているＴＦＣＩ、ＴＰＣ、パイロットシンボルなどを予め設定されたパターンによって、特定電力制御群(またはスロット)のみで送信するか、順方向ＤＰＣＣＨに含まれているパイロットシンボルと前記パイロットシンボルが位置した次のスロットのＴＦＣＩ及びＴＰＣビットを設定されたパターンによって送信することを意味する。前記断続的送信時、順方向ＤＰＣＣＨで送信が中断されるのは、一つの電力制御群(または一つのスロット)内のＴＦＣＩ、ＴＰＣ及びパイロットシンボルなどのスロット内の制御データ全体、または前記制御データ中の一部になることができる。また“断続位置選定”は、断続送信機能を遂行する状態で、専用制御チャネルのデータを伝送するスロットの位置を選定することを意味し、“断続位置”は、制御データを伝送するために選択されたスロットを意味する。また本発明の実施形態で使用される“制御データ”は、ＤＰＣＣＨ信号を意味し、“トラヒックデータ”は、基地局と移動局間にバースト(burst)に伝送されるシグナリングデータ及び／または使用者データを意味する。ＴＦＣＩ、ＴＰＣ、ＦＢＩ(Feedback Indicator)及びパイロットシンボルは前記“制御データ”に含まれる。従って、本発明の実施形態では、専用制御チャネルのデータを断続伝送する場合を説明しているが、本発明の実施形態による断続伝送方法は、制御データを周期的に伝送する他のチャネルの制御データを断続伝送する場合にも同一のように適用することができる。
【００３０】
一方、下記で説明される断続的送信の動作は、断続送信単位とスロット単位が同一の場合にも適用することができ、断続送信単位とスロット単位が異なる場合にも適用することができる。断続送信単位とスロット単位が異なる場合には、ＴＰＣ、ＴＦＣＩ及びパイロットシンボルを相異なるように断続することが望ましい。即ち、ｎ番目のパイロットシンボルと、ｎ＋１番目のＴＦＣＩ及びＴＰＣが断続送信単位に設定されることができる。
【００３１】
また本発明の実施形態では、フレームのスタート部分の性能が非常に重要であるので、一つのフレームの最終スロットに次のフレームの一番目スロットを電力制御するためのＴＰＣを位置させる。即ち、ｎ番目フレームの最終スロットに順方向ＤＰＣＣＨと逆方向ＤＰＣＣＨのＴＰＣビットが位置し、ｎ＋１番目フレームの一番目スロットの電力を前記ｎ番目フレームの最終スロットに存在するＴＰＣビットを利用して電力制御する。
【００３２】
また本発明の実施形態による移動通信システムで断続送信を遂行する時、断続されるスロットの位置は、基地局と移動局が予め設定された規則的なパターンを利用して決定することができ、またはＳＦＮ(System Frame Number)とＣＦＮ(Connection Frame Number)を利用してスロットグループ内で任意スロットを断続位置に設定する不規則パターンを利用して決定することもできる。また移動通信システムで、専用データチャネル及び専用データチャネルの１フレームは、複数のスロットで構成することができる。本発明の実施形態では、１フレームが１５個、または１６個のスロットで構成することができ、下記の説明ではこれらの構造を合わせて説明する。ここで規則的なパターンに断続送信を遂行する動作は、１フレームが１６個のスロットで構成された場合を例に挙げて説明し、不規則的なパターンに断続送信を遂行する動作は、１フレームが１５個のスロットで構成された場合を例に挙げて説明する。
【００３３】
本発明の実施形態では図２Ａ及び図２Ｂのような逆方向及び順方向ＤＰＣＣＨ構造によって、１／３及び１／５断続的送信を遂行する過程を中心に説明する。また断続送信時、図１５Ａ、図１５Ｂ及び図１６のようにランダムパターンによって断続位置を決定することもできる。
本発明の実施形態によるハードウェア構成図は次のようである。
【００３４】
図５Ａは本発明の実施形態による基地局送信装置の構成を示している。図３Ａの従来の基地局送信装置との構成上の差異は、順方向ＤＰＣＣＨに対して乗算器１１１の出力が、断続送信制御器(Gated Transmission Controller)１４１により断続されることである。即ち、断続送信制御器(Gated Transmission Controller)１４１は、順方向ＤＰＤＣＨを通じて伝送されるトラヒックデータが一定期間の間に発生しない場合、または逆方向ＤＰＤＣＨを通じてトラヒックデータが一定期間の間に受信されない場合に、順方向ＤＰＣＣＨ中で一つのスロットのパイロットシンボルと次のスロットのＴＦＣＩとＴＰＣビットを移動局と約束されたパターンに断続的に送信するようにする。また、断続送信制御器１４１は、順方向及び逆方向ＤＰＤＣＨを通じてトラヒックデータが伝送されない制御維持副状態(Radio Bearer Suspended mode:ＲＢＳモード)で、順方向ＤＰＣＣＨのパイロットシンボル、ＴＦＣＩ、ＴＰＣビットを含む一つの電力制御群(または一つのスロット全体)を移動局と約束された電力制御群(または時間スロット)で断続的に送信されるようにする。
【００３５】
順方向及び逆方向ＤＰＣＣＨ信号を同時に断続的に送信する場合に、順方向断続送信パターンは逆方向断続送信パターンと同一であるが、効率的な電力制御のために前記二つの間にはオフセットを存在させることができる。前記オフセットはシステムパラメータに与えられるか、断続送信のスタートを示すメッセージに知らせることができる。前記断続スタートを知らせるメッセージは、前記専用データチャネルを通じて伝送するデータが一定時間の間に発生しないと、基地局から移動局に伝送して断続送信のスタート時点と断続率を知らせるためのものである。このメッセージは移動局から基地局に伝送することも可能である。また基地局は前記断続スタートを知らせるメッセージを移動局の断続要求に応答して決定し、前記決定されたメッセージを移動局に伝送することもできる。
【００３６】
前記断続送信制御器１４１は、前記専用制御チャネルのスロットデータを断続することができ、また複数個スロットの制御データを断続することもできる。前記専用制御チャネルの１スロットは、パイロットシンボル、ＴＦＣＩ、ＴＰＣ(移動局の場合にはＦＢＩが追加)などの制御データで構成される。この時、前記断続送信機能が遂行されると、前記断続送信制御器１４１は、前記断続位置のスロットに含まれたすべての制御データを断続送信することができ、他の方法では、断続位置のｎ＋１番目スロットの前に位置したｎ番目スロット区間のパイロットシンボルと、断続位置のｎ＋１番目スロット区間のＴＰＣ及びＴＦＣＩを断続送信することができる。本発明の実施形態では後者の方式を参照して説明する。
【００３７】
また前記断続送信制御器１４１は、次フレームのスタート部分の性能を保障するために、一つのフレームの最終スロットに次のフレームの一番目スロットを電力制御するためのＴＰＣビットを位置させる。即ち、ｎ番目フレームの最終スロットに、順方向ＤＰＣＣＨと逆方向ＤＰＣＣＨのＴＰＣビットが位置するようにし、ｎ＋１番目フレームの一番目スロットの電力を、前記ｎ番目フレームの最終スロットに存在するＴＰＣビットを利用して電力制御する。
【００３８】
移動局が断続送信を遂行し、基地局が断続送信を遂行しない場合には、基地局送信器は、移動局が不連続的に伝送した一つのＤＰＣＣＨスロット信号を測定して電力制御ビット(Transmit Power Control：ＴＰＣ)を決定し、次に基地局が他の逆方向ＤＰＣＣＨスロット信号を測定して新しい電力制御ビットを決定するまで、前記決定された電力制御ビットをスロットごとに伝送する。
【００３９】
図５Ｂは本発明の実施形態による移動局送信装置の構成を示している。図３Ｂの従来の移動局送信器との構成上の差異点は、逆方向ＤＰＣＣＨの送信を断続するための断続送信制御器２４１が存在することである。即ち、断続送信制御器(Gated Transmission Controller)２４１は、順方向及び逆方向データチャネル(ＤＰＤＣＨ、またはＤＳＣＨ)に伝送するトラヒックデータが一定期間の間に発生しないか、または逆方向ＤＰＤＣＨに伝送するトラヒックデータが一定期間の間に発生しない場合に、逆方向ＤＰＣＣＨ中でパイロットシンボル、ＴＦＣＩ、ＦＢＩ、ＴＰＣビットを含む一つの電力制御群(または一つのスロット全体)を基地局と約束された電力制御群(または時間スロット)で断続送信する。
【００４０】
本発明の実施形態による基地局及び移動局の送信信号構造は次のようである。
図６Ａは、本発明の実施形態に応じて一定期間の間にＤＰＤＣＨに伝送するデータがない場合、逆方向ＤＰＣＣＨ信号を規則的、または断続送信パターンによって伝送する方法を示す図である。図６Ａの参照番号３０１、３０２、３０３、３０４は、デューティサイクル(Duty Cycle、以下、ＤＣ)によって相異なる断続率(Gating Rate)を示したものである。ここで、“デューティサイクル(またはＤＣ)”と“断続率(gating rate)”は同一の意味に使用される。参照番号３０１は、従来のように、逆方向ＤＰＣＣＨを断続なし(ＤＣ＝１)で送信することを示したものであり、参照番号３０２は、ＤＣ＝１／２(一つのフレーム内の全体スロットの１／２のみ送信)の場合に、一つの電力制御群(または時間スロット)を規則的に送信する方法を示したものである。参照番号３０３はＤＣ＝１／４(一つのフレーム内の全体スロットの１／４のみ送信)の場合に、４個の電力制御群当たり一つの電力制御群(３番、７番、１１番、１５番電力制御群)で規則的に送信することを示したものである。参照番号３０４は、ＤＣ＝１／８(一つのフレーム内で全体スロットの１／８のみ送信)の場合に、８個の電力制御群当たり一つの電力制御群(７番、１５番電力制御群)で規則的に送信することを示したものである。
【００４１】
前記図６Ａの実施形態では、ＤＣ＝１／２、１／４の場合に、移動局の断続送信制御器２４１が逆方向ＤＰＣＣＨの電力制御群を規則的に断続することについて説明したが、全体電力制御群で該当ＤＣによって任意の電力制御群を断続することもできる。即ち、ＤＣ＝１／２の場合に、一つの電力制御群おきに規則的に送信せず、不規則パターンによって任意の隣接した電力制御群を連続的に断続することもできる。また、ＤＣ＝１／２の場合に、全体電力制御群の半分をフレームの後半部(８番〜１５番電力制御群)で連続して送信することもできる。ＤＣ＝１／４の場合に、全体電力制御群の１／４をフレームの３／４地点から連続(１２番〜１５番電力制御群)して送信することもできる。ＤＣ＝１／８の場合に、全体電力制御群の１／８をフレームの７／８地点から連続(１４番〜１５番電力制御群)して送信することもできる。
【００４２】
前記断続率は、断続送信中に変えることもできる。このためには移動局と基地局は、いつから、どの断続率を使用するかを、互いに知っているべきであるので、このためのメッセージ伝送が必要である。前記断続率は断続送信のスタートに決定され、断続送信の遂行中には変更しない方が望ましい。
【００４３】
図６Ｂは、本発明のさらに他の実施形態による逆方向ＤＰＣＣＨの規則的、または断続送信パターンによる信号送信方法を示した図である。図６Ｂの参照番号３０５、３０６、３０７は、ＤＣの比率によって相異なる断続率を示したものである。参照番号３０５は、ＤＣ＝１／２(一つのフレーム内で全体スロットの１／２のみ送信)の場合に、２個の連続された電力制御群を規則的な位置(２番〜３番、６番〜７番、１０番〜１１番、１４番〜１５番電力制御群)で送信する方法を示したものである。参照番号３０６は、ＤＣ＝１／４(一つのフレーム内で全体スロットの１／４のみ送信)の場合に、２個の連続された電力制御群を規則的な位置(６番〜７番、１４番〜１５番電力制御群)で送信する方法を示したものである。参照番号３０７は、ＤＣ＝１／８(一つのフレーム内で全体スロットの１／８のみ送信)の場合に、２個の連続された電力制御群を規則的な位置(１４番〜１５番電力制御群)で送信する方法を示したものである。
【００４４】
前記図６Ｂの実施形態では、ＤＣ＝１／２、１／４の場合に、移動局の断続送信制御器２４１が逆方向ＤＰＣＣＨの電力制御群を規則的に断続することについて説明したが、全体電力制御群で該当ＤＣによって任意の電力制御群を断続することもできる。即ち、ＤＣ＝１／２の場合に、２個の連続した電力制御群おきに規則的に送信せず、不規則なパターンによって４個の連続した電力制御群(例：２番〜５番電力制御群)を連続して断続することもできる。
【００４５】
前記電力制御群の断続位置(連続した３個、または５個の電力制御群中、一つの電力制御群で信号伝送する位置)選定方法の他の実施形態による基地局及び移動局の送信信号構成図は、次のようである。本実施形態では、一つのフレームが１５個のスロット(電力制御群)を有する場合に、断続率１／３、または１／５に対して説明する。
図５Ｃは、本発明の実施形態による断続位置選定方法の基地局送信装置の構成を示している。図５Ａの基地局送信装置の構成と異なる点は、順方向ＤＰＣＣＨに対して送信電力制御群の位置が断続送信位置選定器１４２により選択されることである。
【００４６】
図５Ｄは本発明の実施形態による断続位置選定方法の移動局送信装置の構成を示している。図５Ｂの移動局送信装置の構成と異なる点は、逆方向ＤＰＣＣＨに対して送信電力制御群の位置が断続送信位置選定器２４２により選択されることである。
電力制御群の断続位置を規則的ではなく、不規則的にすることは、規則的な伝送信号の電力による電磁気波関連悪影響を防止するためである。前記送信信号を不規則的に断続するために、本発明の実施形態では、スクランブリング符号を使用する。
【００４７】
前記電力制御群の断続位置を選定する方法の一つは、逆方向信号の伝送前の順方向信号のシステムフレーム番号(System Frame Number:以下、ＳＦＮ)と、移動局で受信された順方向信号に対するデスクランブリング(Descrambling)を遂行するために発生されるスクランブリング符号を利用することである。移動局は、順方向信号のＳＦＮを利用してスクランブリング符号の特定位置の符号ビットを読み出して、前記読み出した値を利用して電力制御群を決定する。前記ＳＦＮは、基地局の放送チャネルを通じて０〜７１の値が継続的に伝送されるので、移動局は前記放送チャネルのデータを受信して前記ＳＦＮを読み出すことができる。また前記スクランブリング符号は、二次スクランブリング符号(secondary scrambling code)、または一次スクランブリング符号(primary scrambling code)を使用することもできる。基地局が移動局の断続送信位置を知っていると、基地局は該当移動局が断続送信するデータを正確に受信することができる。従って断続送信の位置は、送信側及び受信側が互いに一致しているのが有利である。前記の一致のために、本発明の実施形態では基地局と移動局が同一に使用する、ランダム性を有するスクランブリング符号と、周期性を低減するためのＳＦＮを利用して断続送信するスロットの位置を決定する。
【００４８】
移動局の断続送信位置選定器２４２(図５Ｄ)は、受信信号のＳＦＮ(System Frame Number)と、受信信号をデスクランブリング(Descrambling)するために、自体内で発生させるスクランブリング符号(Scrambling Code)の実数部分であるゴールド符号(Gold Code)を利用して断続送信するスロットの位置を決定する。この時、ＤＣ＝１／３の場合には、前記断続送信位置選定器２４２は３個のスロット(スロットグループ)中、任意位置の一つのスロットを選択し、ＤＣ＝１／５の場合、前記断続送信位置選定器２４２は、５個のスロット(スロットグループ)中、任意位置の一つのスロットを選択する。ここで、ＤＣ＝１／３の場合とＤＣ＝１／５の場合に対する選択の範囲である３スロットと５スロットに該当する間隔を“断続区間”、または“スロットグループ”という。
【００４９】
前記のように本発明の実施形態に従ってスロットグループ単位に断続するスロットをランダムに決定する第１方法は、次のような順序で決定する。図１３Ａ、図１３Ｂ、図１４Ａ及び図１４Ｂはこの方法に関する。
１．送信直前に受信した信号のＳＦＮ(System Frame Number)０〜７１に１から３５間の整数をかける。結果を“ｘ”とする(０≦ｘ≦２４８５)。
２ａ．ＤＣ＝１／３の場合、図１３Ａのように断続グループの境界からｘチップだけ離れた位置で、スクランブリング符号の実数部分の１ビットを選択する。前記選択された１ビットは、次の断続スロットグループで断続スロットの位置を決定するために使用することができる。即ち、現在の断続スロットグループで断続スロットの位置は、以前断続スロットグループで選択された一つのビットに基づいて決定することができる。
【００５０】
２ｂ．ＤＣ＝１／５の場合、図１３Ｂのように断続グループの境界からxチップだけ離れた位置でスクランブリング符号の実数部分の２個ビットを選択する。３ａ．ＤＣ＝１／３の場合、送信される電力制御群の位置は前記選択された１個のビットを利用して決定する。前記１個のビットのみを利用するので、３個の送信可能な電力制御群の位置中で、事前規約により設定された２個の電力制御群の間で不規則的に位置が選択される。
【００５１】
３ｂ．ＤＣ＝１／５の場合、送信される電力制御群の位置は選択された２個のビットを利用して決定する。前記２個のビットを利用するので、５個の送信可能な電力制御群の位置中で、事前規約により設定された４個の電力制御群の位置間で不規則的に位置が選択される。
４．前記ＳＦＮ(System Frame Number)が変わる場合、新しい値で前記過程１から再び遂行される。この時、過程１で使用された整数(１から３５まで)がそのまま維持される。
【００５２】
順方向リングの送信電力制御群の位置において、前記順方向断続送信パターンは、逆方向断続送信パターンと同一のパターンであるが、効率的な電力制御のために、順方向及び逆方向断続送信パターン間には一定のオフセットを存在させることができる。前記オフセットはシステムパラメータとして与えられる。さらに、前記順方向断続送信パターンは逆方向断続送信パターンと関係無く、設定された一定の位置を利用して決定されることができる。
【００５３】
図１４Ａは、ＤＣ＝１／３の場合の、前記の電力制御群の断続位置選定方法を示す図である。移動局の断続送信位置選定器２４２は、順方向信号のスクランブリング符号(Scrambling Code)とＳＦＮを受信し、前記スクランブリング符号(Scrambling Code)の実数部分の一つのビットを選定する。前記選択された一つのビットは、次の電力制御群の断続位置を決定するのに利用される。言い換えれば、現在の電力制御群の断続位置は、以前の電力制御群で選択された一つのビットに基づいて決定される。一般的に、現在断続スロットグループと前記断続スロットグループから選択された所定ビット間の時差は、１ビットより大きくなることもある。この時、基地局は逆方向で受信した電力制御群の位置から一定のスロット数だけ離れた位置で順方向電力制御群を伝送する。
【００５４】
図１４Ｂは、ＤＣ＝１／５の場合の、前記電力制御群の断続位置選定方法を示す図である。移動局の断続送信位置選定器２４２は、順方向信号のスクランブリング符号とＳＦＮを受信して、スクランブリング符号の実数部分で２個のビットを選択する。前記選択された２個のビットは、次の電力制御群の断続位置を決定するのに使用される。言い換えれば、現在の電力制御群の断続位置は、以前の電力制御群で選択された２個のビットに基づいて決定される。一般的に現在断続スロットグループと前記断続スロットグループから選択された所定ビット間の時差は、１ビットより大きくなることもある。この時、前記基地局は、逆方向で受信した電力制御群の位置から一定のスロット数だけ離れた位置で順方向電力制御群を伝送する。
【００５５】
スクランブリング符号の実数部分の位置を決定する場合、ＳＦＮ以外に、移動局ごとに相異なるように適用される順方向信号のチャネル区分符号の番号も利用することもできる。このように、順方向信号のチャネル区分符号番号を利用することは、相異なる移動局に対する順方向信号が同一の時間的位置で電力制御群を送信することを防止するためである。
【００５６】
一つの電力制御群で断続位置を選定する他の方法は、図１３Ｃ、１３Ｄ、１４Ｃ、１４Ｄに示してある。この方法は、スクランブリング符号の実数部分の特定位置からＮ個ビットに該当する十進数値にモジューロ３(modulo-３)、またはモジューロ５(modulo-５)の演算を遂行することによって得られる値を利用して送信電力制御群の位置を決定するものである。
このように本発明の実施形態によってスロットグループ単位に任意スロットをランダムに選定する第２方法は、次のような順序に決定する。
【００５７】
１．送信直前に受信した信号のＳＦＮ０〜７１に、１から３５間の整数をかける。そして計算結果を“ｘ”(０≦ｘ≦２４８５)とする。
２ａ．ＤＣ＝１／３の場合、図１３Ｃのように断続スロットグループの境界からｘチップだけ離れた位置でスクランブリング符号の実数部分のＮビットを選択する。前記選択されたＮビットは次の断続スロットグループで断続スロットの位置を決定するために使用することができる。即ち、現在の断続スロットグループで断続スロットの位置は以前断続スロットグループで選択されたＮ個のビットに基づいて決定することができる。
【００５８】
２ｂ．ＤＣ＝１／５の場合、図１３Ｄのように断続スロットグループの境界からxチップだけ離れた位置でスクランブリング符号の実数部分のＮ個ビットを選択する。前記選択されたＮビットは、次の断続スロットグループで断続スロットの位置を決定するために使用することができる。即ち、現在の断続スロットグループで断続スロットの位置は、以前断続スロットグループで選択されたＮ個のビットに基づいて決定することができる。
【００５９】
３ａ．ＤＣ＝１／３の場合、送信される電力制御群の位置は、選択されたＮ個ビットに該当する十進数値をモジューロ３演算を遂行して得られた値を利用して決定する。前記モジューロ３演算の結果値は０、１、２の中の一つであるので、それぞれの値は断続区間(スロットグループ)内で任意スロットの位置を指定するようになる。
【００６０】
３ｂ．ＤＣ＝１／５の場合、送信される電力制御群の位置は、選択されたＮ個ビットに該当する十進数値をモジューロ５演算を遂行して得られた値を利用して決定する。前記モジューロ５演算の結果値は０、１、２、３、４の中の一つであるので、それぞれの値は断続区間(スロットグループ)内で任意スロットの位置を指定するようになる。
４．前記ＳＦＮが変わる場合、オフセットｘの新しい値に前記過程１からさらに遂行する。この時、過程１で使用される整数値(１から３５の範囲)はそのままに維持される。
【００６１】
前記の電力制御群の断続位置選定方法は、スクランブリング符号(Scrambling Code)の実数部分と０〜７１のＳＦＮを利用して送信電力制御群の断続位置を選定する。このため、送信電力制御パターンは、７２０msec周期を有するようになる。送信電力制御パターンが７２０msec以上の周期を有するために、ＳＦＮが特定値になる度に、前記ｘ値を変更することもできる。
【００６２】
図１４Ｃは、ＤＣ＝１／３の場合の、前記電力制御群の断続位置選定方法を示す図である。移動局の断続送信位置選定器２４２は、順方向信号のスクランブリング符号とＳＦＮを受信して、スクランブリング符号の実数部分でＮビットを選定する。前記選択された一つのビットは、次の電力制御群の断続率を決定するために使用される。言い換えれば、現在の電力制御群の断続位置は、以前電力制御群で選択されたＮビットのモジューロ３演算に基づいて決定される。一般的に、現在断続スロットグループと前記断続スロットグループから選択された所定ビット間の時差は、１ビットより大きくなることができる。この時、基地局は、逆方向で受信した電力制御群の位置から一定のスロット数だけ離れた位置で順方向電力制御群を伝送する。
【００６３】
図１４Ｄは、ＤＣ＝１／５の場合、前記電力制御群の断続位置選定方法を示す図である。移動局の断続送信位置選定器２４２は、順方向信号のスクランブリング符号とＳＦＮを受信し、スクランブリング符号の実数部分でＮビットを選定する。この選択されたＮビットは、次の電力制御群の断続位置を決定するのに利用される。言い換えれば、現在の電力制御群の断続位置は、以前の電力制御群で選択されたＮビットのモジューロ５演算に基づいて決定される。一般的に、現在断続スロットグループと前記断続スロットグループから選択された所定ビット間の時差は、１ビットより大きくなることもある。この時、基地局は逆方向で受信した電力制御群の位置から一定のスロット数だけ離れた位置で順方向電力制御群を伝送する。
【００６４】
電力制御群の断続位置を規則的ではなく、不規則的にすることは、規則的な伝送信号の電力による電磁気波関連悪影響を防止するためである。断続され送信される信号を不規則的にするために、本発明の他の実施形態では、逆方向／順方向フレームを区別することができる任意の数字と逆方向スクランブリング符号、または固定されたシーケンスを共に利用する方法を提示する。前記逆方向／順方向フレームを区別することができる任意の数字は、ＳＦＮ、またはＣＦＮ(Connection Frame Number：以下、ＣＦＮ)になり、逆方向／順方向フレームを決定することができる任意のシステムパラメータになることもできる。本発明の実施形態によってスロットグループ内で任意スロットを断続送信する第２方法では、前記ＣＦＮを利用してスロットグループ内の任意スロットをランダムに断続する。即ち、本発明の実施形態によるランダム断続の第２方法は、逆方向／順方向フレームを区別することができる任意の数字にＣＦＮを使用し、前記ＣＦＮは一つの加入者装置と通話するすべての基地局で同一に使用される値であり、８ビットに表示され、２５６(０〜２５５)の反復周期を有するフレーム数字である。
【００６５】
前記図１５Ａは、逆方向スクランブリング符号から断続送信パターンを発生するのに必要な一部シーケンスを抽出する方法を説明した図である。前記逆方向信号のスクランブリング符号は、移動通信システム内の加入者装置(User Equipment：以下、ＵＥ)を区別するために使用されるスクランブリング符号であり、長スクランブリング符号(Long Scrambling Code)と短スクランブリング符号(Short Scrambling Code)に区分される。前記長スクランブリング符号は、３３,５５４,４３２ビットの長さを有し、前記３３,５５４,４３２の長さを有する長スクランブリング符号で０番ビットから３８３９９番ビットまでの３８４００ビット長さの符号のみを使用して加入者装置から伝送される一つのフレームの信号に適用して、加入者装置を区別するためのスクランブリング符号に使用される。前記短スクランブリング符号は２５６ビットの長さを有し、加入者装置から伝送される一つのフレーム内に１５０回、反復され使用される。前記短スクランブリング符号は、基地局が干渉除去器のような別の装置を設けた場合に使用される加入者識別スクランブリング符号である。
【００６６】
前記図１５Ａを参照すると、スロット１５１１は、フレーム１５０１の一番目スロットであり、スロット番号は０番である。前記スロット１５１１に適用されるスクランブリング符号は、長スクランブリング符号の場合は、０番ビットから２５５９番ビットまで、短スクランブリング符号の場合は、０番ビットから２５５番ビットまでのスクランブリング符号が１０回、反復適用される。以下、本発明の説明の理解を助けるために、長スクランブリング符号と短スクランブリング符号の区別なしスクランブリング符号という。前記図１５Ａの参照符号１５１２は、一番目スロット１５１１のスクランブリング符号の０番ビットを表示し、参照符号１５１３は、スクランブリング符号の１番ビットを表示し、参照符号１５１４は、スクランブリング符号の２５５９番ビットを表示する。
【００６７】
前記図１５Ａで参照番号１５０１は、１フレームの区間を示す。前記フレーム１５０１は、０番スロット１５１１から１４番スロット１５１９まで１５個のスロットに構成され、前記フレーム１５０１で電力制御群の断続位置を選定する方法は、下記の説明のようである。
前記フレーム１５０１はＤＣによって３個、または５個のスロットに構成されるスロットグループに分けられる。即ち、ＤＣ＝１／３の場合には、前記フレーム１５０１は、３個のスロットに構成される５個のスロットグループ(スロットグループ０:０番から２番スロットまで、スロットグループ１:３番から５番スロットまで、スロットグループ２:６番から８番スロットまで、スロットグループ３:９番から１１番スロットまで、スロットグループ４:１２番から１４番スロットまで)に分けられ、ＤＣ＝１／５の場合には、５個のスロットに構成される３個のスロットグループ(スロットグループ０:０番から４番スロットまで、スロットグループ１:５番から９番スロットまで、スロットグループ２:１０番から１４番スロットまで)に分けられる。
【００６８】
前記図１５ＡでＤＣによってフレーム１５０１は３個、または５個のスロットグループに分けられ、各断続スロットグループは、それぞれのスロットグループに対するスロットグループ番号と同一のオフセット値を有する。ＤＣ＝１／３の場合、前記断続スロットグループ０のオフセットは０、前記断続スロットグループ１のオフセットは１、前記断続スロットグループ２のオフセットは２、前記断続スロットグループ３のオフセット３、前記断続スロットグループ４のオフセットは４になる。ＤＣ＝１／５の場合、前記断続スロットグループ０のオフセットは０、前記断続スロットグループ１のオフセットは１、前記断続スロットグループ２のオフセットは２になる。前記オフセットの適用に対する説明は下記のようである。
【００６９】
前記図１５Ａの１５５１〜１５５４ビットは、前記抽出されたｎビットを示す。従って、基地局と移動局間に事前に設定された約束によって、前記図１５Ａのスロット１５１１に使用されたスクランブリング符号の０番ビット１５１２から２５５９番ビット１５１４中で、前記１５５１番から１５５４番ビットまでのｎ個のビットが選定される。前記ｎは８の倍数であり、任意に選定することができる正の定数である。前記スロット１５１１に適用されるスクランブリング符号でビット１５５１からビット１５５４でｎ個のビットを選定する方法は、下記のようである。現断続スロットグループの断続スロットを決定するためには、以前断続スロットグループで使用されたスクランブリング符号からのｎビットに以前断続スロットグループのスクランブリング符号の一番目ビットに適用されたオフセットを利用する。
【００７０】
(１)ＤＣ＝１／３の場合、フレームはスロットグループ０番から４番までの５個のスロットグループに分けられる。前記スロットグループ０番の任意スロットを断続送信するための断続位置選定に使用されるｎ個のビットは、前記スロットグループ０番の以前フレームのスロットグループ４番に適用される移動局が使用するスクランブリング符号の３０７２４番ビットからｎ個を順次、使用する。ここで、前記３０７２４ビットはオフセットが適用されたスタートビットである。即ち、前記スロットグループ０番の以前フレームのスロットグループ４番に適用されるスクランブリング符号のスタートビットである３０７２０番ビットであり、これから前記スロットグループ０番の以前フレームのスロットグループ４番(＝４)が有するオフセットを適用してスロットグループ０番のスタートビットを決定する。従って、前記スロットグループ０番に適用する断続位置を選定するために使用するスクランブリング符号を選択するスタートビットは３０７２４番ビットになる。
【００７１】
このような方法に、スロットグループ１番内の断続位置を選定するために使用されるｎ個のビットは、スロットグループ０番が有するオフセットを適用して(即ち、オフセットは０)、スロットグループ０番のスクランブリング符号の０番ビットからｎ個を順次、抽出する。スロットグループ２番内の断続位置を選定するために使用されるｎ個のビットは、スロットグループ１番が有するオフセットを適用して(即ち、オフセットは１)、スクランブリング符号の７６８１番ビットからｎ個を順次、抽出する。スロットグループ３番内の断続位置を選定するために使用されるｎ個のビットは、スロットグループ２番が有するオフセットを適用して(即ち、オフセットは２)、スクランブリング符号の１５３６２番ビットからｎ個を順次、抽出する。スロットグループ４番内の断続位置を選定するために使用されるｎ個のビットは、スロットグループ３番が有するオフセットを適用して(即ち、オフセットは３)、スクランブリング符号の２３０４３番ビットからｎ個を順次、抽出する。上述したように、スロットグループ０番内の断続位置を選定するために使用されるｎ個のビットは、以前フレームのスロットグループ４番が有するオフセットを適用して(即ち、オフセットは４)、スクランブリング符号の３０７２４番ビットからｎ個を順次、抽出する。言い換えれば、スロットグループ(ｐ＋１)番内の断続位置を選定するために使用されるｎ個のビットは、スロットグループ０番内の断続位置決定を除いて、ビット数ｙから選択される。ここで、ｙは(スロットグループｐ番の一番目ビット)＋(スロットグループｐ番のオフセット)である。スロットグループ０番内の断続位置を選定する場合に、スロットグループ０番内の断続位置を選定するために使用されるｎ個のビットは、ビット数ｙから選択される。ここで、ｙは(以前フレームのスロットグループ４番の一番目ビット)＋(スロットグループ４番のオフセット)である。
【００７２】
(２)ＤＣ＝１／５の場合、フレームは、スロットグループ０番から２番まで３個のスロットグループに分けられる。前記スロットグループ０番内の断続位置を選定するために使用されるｎ個のビットは、以前フレームのスクランブリング符号の２５６０２ビットからｎ個を順次、抽出する。そしてスロットグループ１番内の断続位置を選定するために使用されるｎ個のビットは、前記スクランブリング符号の０番ビットからｎ個を順次、抽出する。スロットグループ２番内の断続位置を選定するために使用されるｎ個のビットは、前記スクランブリング符号の１２８０１番ビットからｎ個を順次、抽出する。
【００７３】
図１５Ｂは、本発明の実施形態に従ってランダム断続を遂行する第３方法を説明するための図である。前記方法は、ＣＦＮを使用して具現される。前記図１５Ｂは、固定されたシーケンスＡから断続送信パターンを発生するのに必要なｎビットのシーケンスを抽出する方法を説明している。
前記図１５Ｂを参照すると、前記ｎビット(１６ビット)シーケンスは、各スロットグループで不規則送信パターンを決定するために使用される。前記ｎビット(１６ビット)シーケンスは、固定されたシーケンス(例、Ａ＝ａ０,ａ１,ａ２,..．,a１８＝１０１１０１００１１０１１１０１００１)からオフセットｊ(０，１，２,３)シフトを適用することにより獲得されたシーケンスである。ＤＣ＝１／５の場合、Ａ0とＡ1が使用されることができる。前記Ａ0は１６ビット(ａ１からａ１５)を有し、Ａ1は１６ビット(ａ１からａ１６)を有する。ＤＣ＝１／３の場合、Ａ0、Ａ1、Ａ2、Ａ3を使用することができる。この場合、前記Ａ0は、オフセット０を有する前記固定されたシーケンスＡか抽出されたａ１からａ１５であり、Ａ1はオフセット１を有する前記固定されたシーケンスＡから抽出されたａ１からａ１６であり、Ａ2は、オフセット２を有する前記固定されたシーケンスＡから抽出されたａ２からａ１７であり、Ａ3は、オフセット３を有する前記固定されたシーケンスＡから抽出されたａ３からａ１８である。前記Ａ0は、０番目断続スロットグループの断続スロットを計算するために使用され、前記Ａ1は、１番目断続スロットグループの断続スロットを計算するために使用される。Ａ2及びＡ3は、ＤＣが１／３の場合、２番目及び３番目断続スロットグループの断続スロットを計算するために使用される。前記Ａ0とＡ1、またはＡ0からＡ3は、各フレームで周期的に使用される。
【００７４】
図１５Ｂでｎビットシーケンスは、前記固定されたシーケンスＡに現在断続スロットグループの番号と同じ値のオフセットを適用することにより獲得される。前記シーケンスは、前記固定されたシーケンスＡにオフセットを適用することにより選択された、各断続スロットグループに使用されるので、下記のシーケンスはＡを使用することができない。
【００７５】
１．オフセット適用後、選択されたシーケンスが同一になる場合
例)Ａ＝１０１０１０１０１０１０１０１０１０１０１０
オフセット０:Ａ0＝１０１０１０１０１０１０１０１０１０１０１０
オフセット１:Ａ1＝０１０１０１０１０１０１０１０１０１０１０１
オフセット２:Ａ2＝１０１０１０１０１０１０１０１０１０１０１０
【００７６】
２．すべて１、またはすべて０であるシーケンス
例)Ａ＝０００００００００００００００００００００００
例)Ａ＝１１１１１１１１１１１１１１１１１１１１１１１
【００７７】
前記図１５Ａと図１５Ｂの電力制御断続位置の選定に使用されるｎ個のビットを使用して断続位置を選定するハードウェア構造は、図１６のようである。前記図１６は、図１５Ａで説明した逆方向スクランブリング符号、または図１５Ｂで説明した固定されたシーケンスＡをＣＦＮと共に使用して、前記の電力制御群の断続位置を選定する方法の実施形態を示したものである。
【００７８】
図１６を参照すると、メモリ１６０１は、前記図１５Ａで説明された方法通り選定されたスクランブリング符号のｎ個のビットを貯蔵するか、図１５Ｂで説明された方法通り選定された固定されたシーケンスＡからｎ個のビットを貯蔵する。
前記図１６のメモリ１６０３は、加入者装置が通信しているすべてのセルの基地局と加入者装置で同一に使用されるＣＦＮをｎビット長さだけ貯蔵するメモリである。前記ＣＦＮは、８ビットの長さを有し、前記ｎ値によってｎ／８回だけ反復され、前記メモリ１６０３に貯蔵される。前記図１６のメモリ１６０３に貯蔵されたビット１６３１は、前記ＣＦＮのＭＳＢ(Most Significant Bit:以下、ＭＳＢ)である０番目ビットであり、ビット１６３８は、前記ＣＦＮのＬＳＢ(Least Significant Bit:以下、ＬＳＢ)である７番目ビットである。前記図１６のメモリ１６０３に貯蔵されたビット１６３９は、前記ＣＦＮのＭＳＢとしてビット１６３１と同一の値であり、ビット１６３ｎは前記ＣＦＮのＬＳＢとしてビット１６３８と同一の値を有する。前記図１６のメモリ１６０３では、ＣＦＮのＭＳＢとＬＳＢの順序を変更することができる。
【００７９】
前記図１６の乗算器１６０４は、ｎ個の排他的論理和演算器(Exclusive OR Operator)１６４１−１６４ｎに構成される。前記乗算器１６０４は、前記メモリ１６０１に貯蔵されているｎ個のビットと、前記メモリ１６０３に貯蔵されているＣＦＮのビットに対する排他的論理和演算を遂行し、前記演算結果を十進数変換器１６０５に提供する。即ち、前記ｎ個の排他的論理和演算器１６４１−１６４ｎは、前記メモリ１６０１から出力されるビット１６１１−１６１ｎとメモリ１６０３から出力されるビット１６３１−１６３ｎをそれぞれビット単位に排他的論理和して出力する。
【００８０】
前記十進数変換器１６０５は、前記乗算器１６０４の演算結果を十進数に変換する。即ち、前記十進数変換器１６０５は、前記乗算器１６０４の排他的論理和演算器１６４１−１６４ｎから出力されるｎ個の演算値を貯蔵するメモリ１６５１−１６５ｎを備え、この貯蔵値を十進数に変換して出力する。前記十進数の値は、ｎ値に応じて決定される。前記十進数演算器１６０５から出力された十進数は、モジューロ演算器１６０７に入力される。前記モジューロ演算器１６０７は、ＤＣの値に応じて出力される値が異なる。前記ＤＣ＝１／３の場合、前記モジューロ演算器１６０７の出力は０、１、２であり、ＤＣ＝１／５の場合、モジューロ演算器１６０７の出力は０、１、２、３、４になる。前記モジューロ演算器１６０７の出力結果によって、前記出力結果が適用されるスロットグループで伝送されないスロットが決定される。前記十進数演算器１６０５と、モジューロ演算器１６０７は、ソフトウェアでも具現することができる。
【００８１】
前記図１５Ａ及び図１６の説明は、下記式１１のように表現することができる。
【数１１】
0003961829.tif 000005
前記式１１に対する理解を助けるために、現在の電力制御スロットグループが１であり、ｎ＝１６、ＣＦＮ＝１０００１１００2、ＤＣ＝１／３の場合に対して図１５Ａと図１６に適用して説明する。
【００８２】
前記図１５Ａの方法により選択されたスクランブリング符号の１６個のビット値“１１０１００１０１０１１１０００”は、前記図１６のメモリ１６０１に貯蔵される。そして、ＣＦＮ＝１０００１１００であるので、前記図１６のメモリ１６０３に貯蔵される値は“１０００１１００１０００１０００”になる。前記乗算器１６０４は１６個の排他的論理和演算器に構成され、この排他的論理和演算器の計算された結果は“０１０１１１１０００１１０１００”である。前記十進数演算器１６０５は、前記乗算器１６０４の出力値を十進数１１，３８６(または２４,１１６)に変換する。ＤＣ＝１／３の場合、前記モジューロ演算器１６０７は、前記十進数演算器１６０５の出力値１１、３８６(または２４，１１６)に対してモジューロ３演算を遂行して１の値(２４,１１６の場合は２)を出力する。従ってスロットグループ２の３個のスロット中で専用制御チャネルの制御データであるＴＦＣＩ、ＴＰＣ及びパイロットシンボルが伝送されるスロットは２番目(または３番目)スロットになる。
【００８３】
前記図１５Ｂ及び図１６は、下記の式１２のように表現することができる。
【数１２】
0003961829.tif 000006
Ａj：固定されたシーケンスＡでｊビットオフセットを適用して得られたシーケンス
Ｃi：ＣＦＮを反復して得られたシーケンス
ＳG：一つの電力制御スロットグループを構成するスロットの個数
ＮG：一つのフレームを構成する電力制御スロットグループの個数
【００８４】
前記の式１２に対する詳細な説明は次のようである。
前記式１２において、Ｓ(ｉ、ｊ)は、i番目フレームのj番目電力制御スロットグループを構成するスロット中、伝送されるべきであるスロットの番号を示す。この時、前記スロット番号は一つのフレーム単位に割り当てた番号ではなく、各スロットグループ単位に割り当てられたスロット番号を意味する。Ａjは、図１５Ｂのように固定されたシーケンスＡにｊオフセットを適用して得られたｎ個のシーケンスを示す。ここで、オフセットｊは、各スロットグループ数と同一である。ＣiはＣＦＮ(８ビット)を反復して生成されたｎビットシーケンスである。ＳGは、一つのスロットグループを構成するスロットの個数を示す。従って、ＤＣ＝１／３の場合、ＳGは３であり、ＤＣ＝１／５の場合、ＳGは５である。ＮGは、一つのフレームを構成する電力制御スロットグループの個数を示す。ＤＣ＝１／３の場合、ＮGは５、ＤＣ＝１／５の場合、ＮGは３である。ｊ＝０の場合、即ち、フレームの一番目スロットグループではＡ0とＣiを排他的論理和演算した後、モジューロ(ＳG−１)演算を遂行した値に１を加える。このような演算の結果、各フレームの第１スロットは、常に送信が中断される。またｊ＝ＮG−１の場合、即ち、フレームの最終スロットグループでは、いつも最終スロット(ＳG−１)のみ送信される。その以外のスロットグループの場合(０＜ｊ＜ＮG−１)、ＡjとＣiを排他的論理和演算した後、モジューロＳG演算を遂行する。このように、最初と最終スロットグループをその以外のグループと異なるようにする理由は、チャネル推定を助けるためである。図１５Ｃは発生規則を示す。またすべてのスロットグループに対して同一の規則、即ち、下記式１３を利用して伝送位置を決定することもできる。
【数１３】
0003961829.tif 000007
【００８５】
前記式１２及び式１３を利用してスロットグループ内のスロットに対する断続位置を決定する動作を図１６、図１０Ａ及び図１０Ｂを参照して説明する。
前記図１６の構成は、図１０Ａの断続位置選定器１５０及び図１０Ｂの断続位置選定器２５０に対応する。前記図１６を参照して、断続位置選定器の動作を説明する。
【００８６】
メモリ１６０１は、前記図１５Ｂで説明した方法により選択されたｎ個のビットを貯蔵する。ここで、ｎは８の倍数であり、正の定数である。前記メモリ１６０１に貯蔵されるシーケンスは、前記固定されたシーケンスＡにｊビットオフセットを適用して得られたシーケンスＡjである。メモリ１６０３は、加入者が通信しているすべてのセルの基地局と加入者装置で同一に使用されるＣＦＮをｎビット長さだけ貯蔵するメモリである。前記メモリ１６０３に貯蔵されたシーケンスはＣＮＦを反復して得られたシーケンスＣiである。前記乗算器１６０４は、ｎ個の排他的論理和演算器で構成され、前記メモリ１６０１及びメモリ１６０３に貯蔵されているシーケンスＡjとＣiをビット単位に排他的論理和演算して
【数１４】
0003961829.tif 000008
の結果を発生し、前記演算結果を十進数変換器１６０５に入力する。前記十進数変換器１６０５は前記乗算器１６０４の演算結果を十進数に変換した後、モジューロ演算器１６０７に入力する。前記モジューロ演算器１６０７は一つのスロットグループを構成するスロットのＳGによって異なる値を出力する。即ち、ＳG＝３(ＤＣ＝１／５)の場合、前記モジューロ演算器１６０７の出力は０、１、２であり、ＳG＝５(ＤＣ＝１／３)の場合、モジューロ演算器１６０７の出力は０、１、２、３、４である。
【００８７】
また前記モジューロ演算器１６０７は、一つのフレーム内に位置されるスロットグループの番号によって、前記式１２に示したように同一のモジューロ演算を遂行することができる。即ち、現スロットグループがフレーム内の一番目スロットグループ番号を有すると、第１スロットグループ内の一番目スロットデータが伝送されないように断続位置を決定し、最終スロットグループ番号を有すると、最終スロットグループ内の最終スロットデータが伝送されるように断続位置を決定する。
【００８８】
前記のように決定されたスロットグループ内の断続位置スロット情報は、図１０Ａの断続送信制御器１４１、または図１０Ｂの断続送信制御器２４１に印加される。すると、前記断続送信制御器は、断続位置選定器により決定された断続位置のスロット区間で専用制御チャネルのデータを送信(gating on)し、該当スロットグループの残りのスロット区間では、専用制御チャネルデータの送信を中断(gating off)させる。
【００８９】
前記のような移動通信システムで前記基地局と移動局が断続送信を遂行するための状態遷移方法には、次のような場合が存在し、遷移方法はシステム設定によって決定される。一つの方法は、設定されたタイマ値、または基地局での遷移指示メッセージにより遷移する方法である。他の方法は、断続率を変更しながら順次、遷移する方法である。この時、前記断続率ＤＣは、該当移動局の容量やチャネル環境の品質などを考慮して決定することができる。前記のような状態遷移方法を、１フレームが１６スロットに構成された場合を仮定して説明すると、前者の遷移方法は、ＤＣ＝１／１からＤＣ＝１／２に、ＤＣ＝１／１からＤＣ＝１／４に、ＤＣ＝１／１からＤＣ＝１／８に一度に遷移するものである。そして後者の遷移方法は、ＤＣ＝１／１からＤＣ＝１／２に遷移し、ＤＣ＝１／２からＤＣ＝１／４に、ＤＣ＝１／４からＤＣ＝１／８に順次、遷移するものである。以下、本発明の実施形態による断続送信方法は、１フレームが１６スロットに構成された場合と１５スロットに構成された場合を共に説明する。この時、前記１フレームが１６スロットに構成された場合、断続率は１／２、１／４及び１／８になることがあり、１フレームが１５スロットに構成された場合、断続率は１／３及び１／５になることがある。
【００９０】
図７Ａ及び図７Ｂは、図６Ａ及び図６Ｂの一定期間の間に伝送するＤＰＤＣＨデータが発生しない場合、専用ＭＡＣ(Medium Access Control)論理チャネルが発生して、伝送するメッセージを物理チャネルである逆方向ＤＰＤＣＨに伝送する場合の逆方向ＤＰＣＣＨを示したものである。
【００９１】
図７Ａの参照番号３１１は、逆方向ＤＰＣＣＨを断続送信しない間(即ち、連続的に送信する間、ＤＣ＝１／１)、逆方向ＤＰＤＣＨメッセージが発生した場合を示したものである。参照番号３１２は、逆方向ＤＰＣＣＨをＤＣ＝１／２断続送信する間、逆方向ＤＰＤＣＨメッセージが発生した場合を示したものである。参照番号３１３は、逆方向ＤＰＣＣＨをＤＣ＝１／４断続送信する間、逆方向ＤＰＤＣＨメッセージが発生した場合を示したものである。参照番号３１４は、逆方向ＤＰＣＣＨをＤＣ＝１／８断続送信する間、逆方向ＤＰＤＣＨメッセージが発生した場合を示したものである。前記参照番号３１２、３１３、３１４のように断続送信パターンで送信しない電力制御群であっても、対応する区間内で逆方向ＤＰＤＣＨが送信される場合には、前記区間の電力制御群をノーマル送信する。前記ノーマル送信する電力制御群では、順方向電力制御のためのＴＰＣビットを省略し、パイロット区間を電力制御群の長さになるように拡張して送信することもできる。電力制御群をノーマル送信して前記逆方向ＤＰＤＣＨメッセージを送信した後、連続される電力制御群から逆方向ＤＰＣＣＨを断続無しで送信することもでき、基地局から断続中断メッセージを受信するまで、元の断続率で断続して、送信を続けることもできる。即ち、ＤＣ＝１／２に断続送信する間、逆方向ＤＰＤＣＨメッセージが送信される場合、前記区間の電力制御群をノーマル送信し、さらにＤＣ＝１／２で断続送信を遂行し、基地局から断続中断メッセージを受信した後、使用者データを伝送する時は、ＤＣ＝１に断続送信を中断することもできる。
【００９２】
逆方向ＤＰＣＣＨのように、順方向ＤＰＣＣＨに対して断続送信する間に順方向ＤＰＤＣＨメッセージが発生した場合、断続送信パターンで送信しない電力制御群といっても、対応する区間内では前記区間の電力制御群をノーマル送信する。前記ノーマル送信する電力制御群では、逆方向電力制御のためのＴＰＣビットを省略し、パイロット区間を電力制御群長さになるように拡張して送信することもできる。電力制御群をノーマル送信して前記順方向ＤＰＤＣＨメッセージを送信した以後、連続される電力制御群からは順方向ＤＰＣＣＨを断続なし送信することもでき、移動局から断続中断要求メッセージを受信するまで、元の断続率に断続して送信を続けることもできる。即ち、ＤＣ＝１／２で断続送信する間、順方向ＤＰＤＣＨメッセージが送信される場合、前記区間の電力制御群をノーマル送信し、さらにＤＣ＝１／２で断続送信し、移動局から断続中断要求メッセージを受信した後、使用者データを伝送する時はＤＣ＝１で断続送信を中断することもできる。
【００９３】
図７Ｂの参照番号３１５は、逆方向ＤＰＣＣＨをＤＣ＝１／２断続送信する間、逆方向ＤＰＤＣＨメッセージが発生した場合を示したものである。参照番号３１６は逆方向ＤＰＣＣＨをＤＣ＝１／４断続送信する間、逆方向ＤＰＤＣＨメッセージが発生した場合を示したものである。参照番号３１７は、逆方向ＤＰＣＣＨをＤＣ＝１／８断続送信する間に、逆方向ＤＰＤＣＨメッセージが発生した場合を示したものである。前記参照番号３１５、３１６、３１７のように断続送信パターンで送信しない電力制御群といっても、該当区間内で逆方向ＤＰＤＣＨが送信される場合には前記区間の電力制御群をノーマル送信する。前記ノーマル送信する電力制御群では、順方向電力制御のためのＴＰＣビットを省略し、パイロット区間を電力制御群の長さになるように拡張して送信することもできる。電力制御群をノーマル送信して前記逆方向ＤＰＤＣＨメッセージを送信した以後、連続される電力制御群からは逆方向ＤＰＣＣＨを断続無しで送信することもでき、基地局から断続中断メッセージを受信するまで、元の断続率に断続して送信を続けることもできる。即ち、ＤＣ＝１／２に断続送信する間、逆方向ＤＰＤＣＨメッセージが送信される場合、前記区間の電力制御群をノーマル送信し、さらにＤＣ＝１／２に断続送信を遂行し、基地局から断続中断メッセージを受信した後、使用者データを伝送する時は断続送信を中断することもできる。
【００９４】
逆方向ＤＰＣＣＨと順方向ＤＰＣＣＨを同一のパターンに同時に断続送信することもできる。前記順方向ＤＰＣＣＨの断続送信中に、順方向ＤＰＤＣＨに伝送するメッセージが発生して電力制御群をノーマル送信して前記順方向ＤＰＤＣＨメッセージを送信した以後、連続される電力制御群からは順方向ＤＰＣＣＨを断続無しで送信することもでき、移動局から断続中断メッセージを受信するまで、元の断続率に断続して送信を続けることもできる。即ち、ＤＣ＝１／２に断続送信する間、順方向ＤＰＤＣＨメッセージが送信される場合、前記区間の電力制御群をノーマル送信し、さらにＤＣ＝１／２に断続送信を遂行し、移動局から断続中断メッセージを受信した後、使用者データを伝送する時、ＤＣ＝１に断続送信を中断することもできる。
【００９５】
図８Ａは、順方向ＤＰＤＣＨの伝送中断による順方向及び逆方向リンクの信号送信方法を示した図である。逆方向ＤＰＤＣＨが伝送するデータがない使用者データ活性副状態で参照番号８０１のように順方向ＤＰＤＣＨの伝送中断時、基地局と移動局は、設定されたタイマ値を超過して断続スタートメッセージを受信すると、断続をスタートするようになる。前記図８Ａの実施形態では、断続スタートメッセージが基地局で発生した場合を示しているが、順方向及び逆方向ＤＰＤＣＨがない場合、移動局が基地局に前記断続要求メッセージを送ることもできる。前記図８Ａの順方向ＤＰＣＣＨの伝送において、すべてのＴＦＣＩ、ＴＰＣ、パイロットシンボルを断続無しで、そのままに伝送することもできる。前記ＴＰＣビット中には逆方向ＤＰＣＣＨ内の断続された電力制御群のパイロットシンボル位置の電力強さを測定して決定された意味の無いＴＰＣ値が存在するので、移動局は逆方向ＤＰＣＣＨの断続パターンを考慮して逆方向電力制御を遂行するために基地局が送信したＴＰＣビット中、前記意味ないＴＰＣ値は無視し、以前電力制御群で送信した送信電力と同一の強さに送信する。
【００９６】
また、前記図８Ａの順方向ＤＰＣＣＨの伝送において、順方向ＤＰＣＣＨ内のＴＦＣＩ、ＴＰＣのみを断続し、順方向ＤＰＣＣＨ内のパイロットシンボルは断続しないことも可能である。この時の断続パターンは、移動局の逆方向ＤＰＣＣＨの断続パターンと同一である。順方向ＤＰＣＣＨ内のＴＰＣを断続する電力制御群は、移動局が送信したＤＰＣＣＨ内の断続された電力制御群に該当するパイロットシンボルを測定して発生させたＴＰＣを意味する。
【００９７】
参照番号８０２は、基地局で発生されたメッセージが順方向ＤＰＤＣＨを通じて移動局に送信されることを示したものである。この場合、逆方向ＤＰＣＣＨを断続送信していた移動局は、前記メッセージを受信した以後からは断続送信を中断し、ＤＣ＝１にノーマル送信を続けることができる。また逆方向ＤＰＣＣＨを断続送信していた移動局は、前記メッセージを受信した以後にも断続送信を持続し、断続中断メッセージを受信して指定された時点で断続送信を中断し、ＤＣ＝１に送信することもできる。
【００９８】
図８Ｂは、逆方向ＤＰＤＣＨの伝送中断による順方向及び逆方向リンクの信号送信方法を示した図である。順方向ＤＰＤＣＨがない使用者データ活性副状態で参照番号８０３のように順方向ＤＰＤＣＨの伝送中断時、基地局と移動局は設定されたタイマ値を超過するか、状態遷移メッセージを交換した後、互いに約束された時点で状態遷移をする。前記図８Ｂの実施形態では、状態遷移メッセージが順方向ＤＰＤＣＨを通じて発生した場合を示したが、状態遷移メッセージは移動局の逆方向ＤＰＤＣＨでも発生することができる。前記図８Ｂの順方向ＤＰＣＣＨの伝送において、すべてのＴＦＣＩ、ＴＰＣ、パイロットシンボルを断続無しで、そのままに伝送することができる。前記ＴＰＣビット中には逆方向ＤＰＣＣＨ内の断続された電力制御群のパイロットシンボルの電力強さを測定して決定された意味ないＴＰＣ値が存在するので、移動局は逆方向ＤＰＣＣＨの断続パターンを考慮して逆方向電力制御のために、基地局が送信したＴＰＣビット中、前記意味の無いＴＰＣ値は無視し、以前電力制御群で送信した送信電力と同一の強さに送信する。
【００９９】
また、前記図８Ｂの順方向ＤＰＣＣＨの伝送において、ＴＦＣＩ、ＴＰＣのみを断続し、順方向ＤＰＣＣＨ内のパイロットシンボルは断続しないことも可能である。この時の断続パターンは、移動局の逆方向ＤＰＣＣＨの断続パターンと同一である。順方向ＤＰＣＣＨ内のＴＰＣを断続する電力制御群は、移動局が送信したＤＰＣＣＨ内の断続された電力制御群に該当するパイロットシンボルを測定して発生させたＴＰＣを意味する。
【０１００】
参照番号８０４は、基地局で状態遷移のためのメッセージが発生されて、順方向ＤＰＤＣＨを通じて移動局に送信されることを示したものである。この場合、逆方向ＤＰＣＣＨを断続送信していた移動局は、前記状態遷移メッセージを受信した以後、断続送信を中断し、ＤＣ＝１に送信を続けることができる。また、逆方向ＤＰＣＣＨを断続送信していた移動局は、前記状態遷移メッセージを受信した以後も断続送信を持続し、状態遷移が発生する時点で断続送信を中断し、ＤＣ＝１に送信することもできる。
【０１０１】
図８Ｃは、順方向ＤＰＤＣＨの伝送中断による順方向及び逆方向リンクの信号送信方法を示した図である。逆方向ＤＰＤＣＨがない使用者データ活性副状態で参照番号８０５のように順方向ＤＰＤＣＨの伝送中断時、基地局と移動局は設定されたタイマ値を超過するか、状態遷移のための順方向ＤＰＤＣＨメッセージが発生すると、制御維持副状態に状態遷移をする。前記図８Ｃの実施形態では、制御維持副状態への状態遷移のためのメッセージが基地局で発生した場合を示したが、順方向及び逆方向ＤＰＤＣＨがない場合、移動局が基地局に状態遷移要求メッセージを送ることもできる。前記図８Ｃの順方向ＤＰＣＣＨの伝送において、すべてのＴＦＣＩ、ＴＰＣ、パイロットシンボルを断続無しで、そのままに伝送することもできる。前記ＴＰＣビット中には逆方向ＤＰＣＣＨ内の断続された電力制御群のパイロットシンボルの電力強さを測定して決定された意味の無いＴＰＣ値が存在するので、移動局は逆方向ＤＰＣＣＨの断続パターンを考慮して逆方向電力制御のために基地局が送信したＴＰＣビット中、前記意味ないＴＰＣ値は無視し、以前電力制御群で送信した送信電力と同一の強さに送信する。
【０１０２】
また、前記図８Ｃの順方向ＤＰＣＣＨの伝送において、順方向ＤＰＣＣＨ内のＴＦＣＩ、ＴＰＣのみを断続し、順方向ＤＰＣＣＨ内のパイロットシンボルは断続しないこともできる。この時の断続パターンは移動局の逆方向ＤＰＣＣＨの断続パターンと同一である。順方向ＤＰＣＣＨ内のＴＰＣを断続する電力制御群は、移動局が送信したＤＰＣＣＨ内の断続された電力制御群に該当するパイロットシンボルを測定して発生させたＴＰＣを意味する。
【０１０３】
参照番号８０６は、移動局により発生された状態遷移メッセージが、逆方向ＤＰＤＣＨを通じて基地局に送信されることを示したものである。この場合、逆方向ＤＰＣＣＨを断続送信していた移動局は、逆方向ＤＰＤＣＨを通じて前記状態遷移メッセージを伝送した以後は、断続送信を中断し、ＤＣ＝１に送信を続けることができる。また逆方向ＤＰＣＣＨを断続送信していた移動局は、前記状態遷移メッセージを送信した以後も断続送信を持続し、状態遷移が発生する時点で断続送信を中断し、ＤＣ＝１に送信することもできる。
【０１０４】
図８Ｄは、逆方向ＤＰＤＣＨの伝送中断による順方向及び逆方向リンクの信号送信方法を示した図である。順方向ＤＰＤＣＨがない使用者データ活性副状態で参照番号８０７のように逆方向ＤＰＤＣＨの伝送中断時、基地局と移動局は設定されたタイマ値を超過するか、状態遷移メッセージを交換した後、互いに約束された時点で状態遷移をする。前記図８Ｄの実施形態では、状態遷移のためのメッセージが順方向ＤＰＤＣＨを通じて発生した場合を示したが、状態遷移メッセージは移動局の逆方向ＤＰＤＣＨでも発生させることができる。前記図８Ｄの順方向ＤＰＣＣＨの伝送において、すべてのＴＦＣＩ、ＴＰＣ、パイロットシンボルを断続無しで、そのままに伝送することができる。前記ＴＰＣビット中には逆方向ＤＰＣＣＨ内の断続された電力制御群のパイロットシンボルの電力強さを測定して決定された意味の無いＴＰＣ値が存在するので、移動局は逆方向ＤＰＣＣＨの断続パターンを考慮して逆方向電力制御を遂行するために基地局が送信したＴＰＣビット中、前記意味の無いＴＰＣ値は無視し、以前電力制御群で送信した送信電力と同一の強さに送信する。
【０１０５】
また、前記図８Ｄの順方向ＤＰＣＣＨの伝送において、ＴＦＣＩ、ＴＰＣのみを断続し、順方向ＤＰＣＣＨ内のパイロットシンボルは断続させないこともできる。この時の断続パターンは、移動局の逆方向ＤＰＣＣＨの断続パターンと同一である。順方向ＤＰＣＣＨ内のＴＰＣを断続する電力制御群は、移動局が送信したＤＰＣＣＨ内の断続された電力制御群に該当するパイロットシンボルを測定して発生させたＴＰＣを意味する。
【０１０６】
参照番号８０８は、移動局により発生された状態遷移メッセージが逆方向ＤＰＤＣＨを通じて基地局に送信されることを示したものである。この場合、逆方向ＤＰＣＣＨを断続送信していた移動局は、逆方向ＤＰＤＣＨを通じて前記状態遷移メッセージを伝送した以後は、断続送信を中断し、ＤＣ＝１に送信を続けることができる。また逆方向ＤＰＣＣＨを断続送信していた移動局は、前記状態遷移メッセージを送信した以後も断続送信を持続し、状態遷移が発生する時点で断続送信を中断し、ＤＣ＝１に送信することもできる。
【０１０７】
図９Ａは、順方向ＤＰＤＣＨの伝送中断による順方向及び逆方向リンクの信号送信方法を示した図である。順方向ＤＰＤＣＨの伝送中断により基地局と移動局は設定されたタイマ値を超過するか、状態遷移メッセージを交換した後、互いに約束された時点で状態遷移をする。前記図９Ａは、順方向ＤＰＣＣＨを逆方向ＤＰＣＣＨの断続パターンと同一のように断続する場合を示したものである。前記図９Ａの実施形態では、状態遷移メッセージが順方向ＤＰＤＣＨを通じて発生した場合を示したが、状態遷移メッセージは移動局の逆方向ＤＰＤＣＨを通じても発生させることができる。
【０１０８】
図９Ｂは、逆方向ＤＰＤＣＨの伝送中断による順方向及び逆方向リンクの信号送信方法を示した図である。逆方向ＤＰＤＣＨの伝送中断により基地局と移動局は設定されたタイマ値を超過するか、状態遷移メッセージを交換した後、互いに約束された時点で状態遷移をする。前記図９Ｂは、順方向ＤＰＣＣＨを逆方向ＤＰＣＣＨの断続パターンと同一のように断続する場合を示したものである。前記図９Ｂの実施形態では、状態遷移メッセージが順方向ＤＰＤＣＨを通じて発生した場合を示したが、状態遷移メッセージは移動局の逆方向ＤＰＤＣＨを通じても発生させることができる。
【０１０９】
前記図及び説明では、順方向と逆方向のフレームスタート時点を同一のように示した。しかし、実際のＵＴＲＡシステムでは、逆方向フレームのスタート時点を順方向フレームのスタート時点より２５０μsecだけ人為的に遅延させる。これはセル半径が３０km以内である場合に、送信信号の伝送時間遅延(Propagation delay)までも考慮して、電力制御時間遅延が１スロット(１slot＝０．６２５ms)になるようにするためのものである。従って前記順方向と逆方向フレームのスタート時点の人為的時間遅延を考慮すると、本発明の断続送信によるＤＰＣＣＨ信号送信方法は、下記の図１１Ａ、図１１Ｂ、図１１Ｃ、図１１Ｄ、図１１Ｅのように示すことができる。このような断続送信ができるようにする基地局送信装置及び移動局送信装置の構成が図１０Ａ及び図１０Ｂに示されている。
【０１１０】
図１０Ａは、本発明の他の実施形態による基地局送信装置の構成を示している。図５Ａに示された本発明の一実施形態による基地局送信器の構成と異なる点は、順方向ＤＰＣＣＨを構成するパイロット(Pilot)、ＴＰＣ及びＴＦＣＩビットを断続送信制御器(Gated Transmission Controller)１４１によりそれぞれ異なるパターンで断続的に送信することができることである。即ち、断続送信制御器(Gated Transmission Controller)１４１は、順方向及び逆方向ＤＰＤＣＨにトラヒックデータが伝送されない制御維持副状態で、順方向ＤＰＣＣＨ中でパイロット、ＴＦＣＩとＴＰＣビットを移動局と約束された電力制御群(または時間スロット)で断続的に送信するようにし、前記断続送信制御器１４１を利用してｎ−１番目スロットのパイロットとｎ番目のＴＰＣ及びＴＦＣＩビットを断続送信単位に構成することもできる。もし、前記断続送信制御器１４１を利用して基地局が制御維持副状態で断続送信を遂行する間に、シグナリングデータを伝送する場合、シグナリングデータが送信されるフレーム区間ではパイロット及びＴＦＣＩに対する断続送信をしないことも可能である。
【０１１１】
また、前記断続送信制御器１４１は、順方向及び逆方向ＤＰＤＣＨにトラヒックデータが伝送されない制御維持副状態で、順方向ＤＰＣＣＨのパイロットシンボル、ＴＰＣ及びＴＦＣＩビットを含む一つの電力制御群(または一つのスロット全体)を、移動局と約束された電力制御群(または時間スロット)で断続的に送信することもできる。
【０１１２】
前記順方向断続送信パターンは、逆方向断続送信パターンと同一のパターンであるが、効率的な電力制御のために、二つの間にはオフセットが存在することも可能である。前記オフセットは、システムパラメータとして与えられる。
【０１１３】
また前記断続送信制御器１４１は、断続位置選定器２５０の出力によって断続するシンボルの位置をランダムに選定するか、または規則的に選定することができる。即ち、前記断続位置選定器２５０は、断続するスロットの位置を規則的に決定することができる(例えば１／３断続の場合、３番目スロット、６番目、９番目、．．．、で送信)。また前記断続位置選定器２５０は、前記図１５Ａ、図１５Ｂ及び図１６に示されたような構成及び方法に断続するスロットの位置をランダムに選定することができる。このような場合、前記断続送信されるスロット位置は、ランダムなパターンにより決定される。
【０１１４】
図１０Ｂは、本発明の他の実施形態による移動局送信装置の構成を示している。図５Ｂに示された本発明の一実施形態による移動局送信装置との構成上の差異は、逆方向ＤＰＣＣＨを構成するパイロット、ＴＦＣＩ、ＦＢＩ及びＴＰＣビットが断続送信制御器２４１によりそれぞれ異なるパターンで送信を断続することができることである。断続送信制御器(Gated Transmission controller)２４１は、順方向及び逆方向ＤＰＤＣＨにトラヒックデータが伝送されない制御維持副状態で、逆方向ＤＰＣＣＨ中でパイロット、ＴＦＣＩ、ＦＢＩとＴＰＣビットを移動局と約束された電力制御群(または時間スロット)で断続送信する。もし、基地局が制御維持副状態で断続送信の遂行中に、前記断続送信制御器２４１を利用してシグナリングデータを伝送する場合、シグナリングデータが送信されるフレーム区間ではパイロット及びＴＦＣＩに対する断続送信をしないこともできる。
【０１１５】
また、断続送信制御器２４１は、順方向及び逆方向ＤＰＤＣＨにトラヒックデータが伝送されない制御維持副状態で、逆方向ＤＰＣＣＨのパイロットシンボル、ＴＦＣＩ、ＦＢＩ及びＴＰＣビットを含む一つの電力制御群を移動局と約束された電力制御群で断続的に送信することもできる。
前記順方向断続送信パターンは、逆方向断続送信パターンと同一のパターンであるが、効率的な電力制御のために、二つの間にはオフセットが存在することが可能である。前記オフセットは、システムパラメータとして与えられる。
【０１１６】
また前記断続送信制御器１４１は、断続位置選定器２５０の出力によって断続されるシンボルの位置をランダムに選定するか、または規則的に選定することができる。即ち、前記断続位置選定器２５０は、規則的に断続されるスロットの位置を決定することができる(例えばＤＣ＝１／３の場合、３番目スロット、６番目、９番目、．．．、で送信)。また前記断続位置選定器２５０は、前記図１５Ａ、図１５Ｂ及び図１６に示されたような構成及び方法に断続されるスロットの位置をランダムに選定することができる。このような場合、前記断続送信されるスロット位置はランダムなパターンにより決定される。
【０１１７】
下記の図１１Ａ乃至図１１Ｄと、図１２Ａ乃至図１２Ｅは、前記図１０Ａ及び図１０Ｂに示されたような基地局及び移動局送信装置により断続送信が遂行される時の信号送信図である。前記図１１Ａ乃至図１１Ｄは、フレーム長さが１０msecであり、一つのフレーム内に電力制御群(Power Control Group)が１６個存在する場合、即ち一つの電力制御群の長さが０．６２５msecである場合に断続送信が遂行されることを示している。前記図１２Ａ乃至図１２Ｅはフレーム長さが１０msecであり、一つのフレーム内に電力制御群(Power Control Group)が１５個存在する場合、即ち、電力制御群の長さが０．６６７msecである場合に断続送信が遂行されることを示している。
【０１１８】
図１１Ａは、本発明の第１実施形態による順方向及び逆方向ＤＰＣＣＨの断続送信を示す図である。前記図１１Ａで示したように、順方向ＤＰＣＣＨの断続送信単位は、スロット単位ではない場合もある。即ち、隣接した２個のスロットでｎ番目スロットのパイロットシンボルとｎ＋１番目スロットのＴＦＣＩ、ＴＰＣを順方向ＤＰＣＣＨの断続送信単位に設定する。例えば、断続率が１／２の場合に、スロット番号０のパイロットシンボルと、スロット番号１のＴＦＣＩ、ＴＰＣが順方向(Downlink)ＤＰＣＣＨの断続送信単位に設定された。断続率が１／４の場合にスロット番号２のパイロットシンボルと、スロット番号３のＴＦＣＩ、ＴＰＣが順方向(Downlink)ＤＰＣＣＨの断続送信単位に設定された。断続率が１／８の場合に、スロット番号６のパイロットシンボルと、スロット番号７のＴＦＣＩ、ＴＰＣが順方向(Downlink)ＤＰＣＣＨの断続送信単位に設定された。これは受信器でＴＰＣ信号の復調方法によってｎ＋１番目のＴＰＣを復調するために、ｎ番目のパイロットシンボルが必要な場合もあるので、順方向ＤＰＣＣＨ断続送信の単位を実際スロット単位とは異なるようにしたものである。
【０１１９】
このような断続送信中に、シグナリングメッセージが発生する場合、前記シグナリングメッセージは順方向、または逆方向ＤＰＤＣＨを通じて伝送される。従ってフレームスタート部分の性能が非常に重要である。本発明では前記図１１Ａのように、スロット番号１５(１６番目スロット、ｎ番目フレームの最終スロット)に順方向ＤＰＣＣＨのＴＰＣと逆方向ＤＰＣＣＨのＴＰＣが位置するようにして、ｎ＋１番目フレームの一番目スロットをｎ番目の最終スロットに存在するＴＰＣを利用して電力制御できるようにする。即ち、現在フレームの最終スロットに次のフレームの一番目スロットを電力制御するためのＴＰＣを位置させるものである。
【０１２０】
一方、上述したＵＴＲＡシステムでは、順方向と逆方向のフレームスタート時点のオフセット(offset)が２５０μsecに固定されている。しかし、順方向及び逆方向ＤＰＣＣＨの断続送信では、、呼設定過程において基地局と移動局がＤＰＣＣＨ断続送信に対するパラメータを交換すえう過程で、前記オフセット値を任意の値に変更することもできる。前記オフセット値は、呼設定過程で基地局と移動局の伝送遅延を考慮して適切な値に設定する。即ち、セル半径が３０ｋｍ以上である場合には、前記オフセット値は、ＤＰＣＣＨ断続送信時、従来の２５０μsecよりは大きな値に設定することもでき、その値は実験による値とすることができる。
【０１２１】
図１１Ｂは、本発明の第２実施形態による順方向及び逆方向ＤＰＣＣＨの断続送信を示す図である。断続率が１／２、１／４、１／８である各場合に対して、断続送信中に、順方向(Downlink)ＤＰＣＣＨが逆方向(Uplink)ＤＰＣＣＨより先に伝送される場合を示したものである。このような差異(オフセット)は断続率が１／２、１／４、１／８である各場合に“ＤＬ−ＵＬ timing”に表示されている。
【０１２２】
前記図１１Ｂを参照すると、隣接した２個のスロットでｎ番目スロットのパイロットシンボルとｎ＋１番目スロットのＴＦＣＩ、ＴＰＣを順方向ＤＰＣＣＨの断続送信単位に設定する。例えば、断続率が１／２の場合に、スロット番号０のパイロットシンボルと、スロット番号１のＴＦＣＩ、ＴＰＣが順方向(Downlink)ＤＰＣＣＨの断続送信単位に設定される。断続率が１／４の場合に、スロット番号２のパイロットシンボルと、スロット番号３のＴＦＣＩ、ＴＰＣが順方向(Downlink)ＤＰＣＣＨの断続送信単位に設定される。断続率が１／８の場合に、スロット番号６のパイロットシンボルと、スロット番号７のＴＦＣＩ、ＴＰＣが、順方向(Downlink)ＤＰＣＣＨの断続送信単位に設定される。
【０１２３】
また、現在フレームの最終スロットに次のフレームの一番目スロットを電力制御するためのＴＰＣを位置させることが分かる。即ち、スロット番号１５(１６番目スロット)に、順方向(Downlink)ＤＰＣＣＨのＴＰＣと逆方向(Uplink)ＤＰＣＣＨのＴＰＣが共に位置している。
図１１Ｃは、本発明の第３実施形態による順方向及び逆方向ＤＰＣＣＨの断続送信を示す図である。断続率が１／２、１／４、１／８である各場合に対して断続送信中に、逆方向(Uplink)ＤＰＣＣＨが順方向(Downlink)ＤＰＣＣＨより先に伝送される場合を示したものである。
【０１２４】
前記図１１Ｃを参照すると、隣接した２個のスロットでｎ番目スロットのパイロットシンボルとｎ＋１番目スロットのＴＦＣＩ、ＴＰＣを順方向ＤＰＣＣＨの断続送信単位に設定する。例えば、断続率が１／２の場合に、スロット番号１のパイロットシンボルと、スロット番号２のＴＦＣＩ、ＴＰＣが順方向(Downlink)ＤＰＣＣＨの断続送信単位に設定される。断続率が１／４の場合に、スロット番号２のパイロットシンボルと、スロット番号３のＴＦＣＩ、ＴＰＣが順方向(Downlink)ＤＰＣＣＨの断続送信単位に設定される。断続率が１／８の場合に、スロット番号６のパイロットシンボルと、スロット番号７のＴＦＣＩ、ＴＰＣが順方向(Downlink)ＤＰＣＣＨの断続送信単位に設定される。
【０１２５】
また、現在フレームの最終スロットに次のフレームの一番目スロットを電力制御するためのＴＰＣが位置することが分かる。即ち、スロット番号１５(１６番目スロット)に順方向(Downlink)ＤＰＣＣＨのＴＰＣと逆方向(Uplink)ＤＰＣＣＨのＴＰＣが同時に位置している。
図１１Ｄは、本発明の第４実施形態による順方向及び逆方向ＤＰＣＣＨの断続送信を示す図である。断続率が１／２、１／４、１／８である各場合に対して、断続送信中に、順方向(Downlink)ＤＰＣＣＨが逆方向(Uplink)ＤＰＣＣＨより先に伝送され、順方向と逆方向断続送信パターンを同一の間隔に設定した場合を示したものである。
【０１２６】
前記図１１Ｄを参照すると、隣接した２個のスロットでｎ番目スロットのパイロットシンボルとｎ＋１番目スロットのＴＦＣＩ、ＴＰＣを順方向ＤＰＣＣＨの断続送信単位に設定する。例えば、断続率が１／２の場合に、スロット番号０のパイロットシンボルと、スロット番号１のＴＦＣＩ、ＴＰＣが順方向(Downlink)ＤＰＣＣＨの断続送信単位に設定される。断続率が１／４の場合に、スロット番号０のパイロットシンボルと、スロット番号１のＴＦＣＩ、ＴＰＣが順方向(Downlink)ＤＰＣＣＨの断続送信単位に設定される。断続率が１／８の場合に、スロット番号２のパイロットシンボルと、スロット番号３のＴＦＣＩ、ＴＰＣが順方向(Downlink)ＤＰＣＣＨの断続送信単位に設定される。
【０１２７】
また、現在フレームの最終スロットに次のフレームの一番目スロットを電力制御するためのＴＰＣを位置させることが分かる。即ち、スロット番号１５(１６番目スロット)に、順方向(Downlink)ＤＰＣＣＨのＴＰＣと逆方向(Uplink)ＤＰＣＣＨのＴＰＣが共に位置している。
図１２Ａ及び図１２Ｂは、本発明の第５実施形態による順方向及び逆方向ＤＰＣＣＨに対する断続送信を示す図である。前記図１２Ａ及び図１２Ｂは、順方向及び逆方向ＤＰＣＣＨの断続送信のための断続率(Gating Rate)が１／３の場合、即ち全体電力制御群の１／３に該当する部分で断続送信が発生する場合を示す図である。全体１５個の電力制御群中で５個の電力制御群に該当する部分で断続送信が遂行されるものである。この時、順方向ＤＰＣＣＨの断続送信単位はスロット単位と異なるように設定される。即ち、隣接した２個のスロットでｎ番目スロットのパイロットシンボルとｎ＋１番目スロットのＴＰＣ、ＴＦＣＩを順方向ＤＰＣＣＨの断続送信単位に設定する。従って、伝送される順序は、Ｎ番目スロットのパイロットシンボルを伝送し、以後、ｎ＋１番目スロットのＴＰＣシンボル及びＴＦＣＩシンボルを伝送する。
【０１２８】
前記図１２Ａの＜Case１＞は、断続送信がスタートされる時、逆方向(Uplink)ＤＰＣＣＨが順方向(Downlink)ＤＰＣＣＨと同時に伝送され、順方向と逆方向断続送信パターンが同一の間隔に設定された場合を示したものである。この時、隣接した２個のスロットであるスロット番号１のパイロットシンボルとスロット番号２のＴＰＣ、ＴＦＣＩが順方向(Downlink)ＤＰＣＣＨの断続送信単位に設定され、スロット番号４のパイロットシンボルとスロット番号５のＴＰＣ、ＴＦＣＩが順方向(Downlink)ＤＰＣＣＨの断続送信単位に設定され、スロット番号７のパイロットシンボルとスロット番号８のＴＰＣ、ＴＦＣＩが順方向(Downlink)ＤＰＣＣＨの断続送信単位に設定され、スロット番号１０のパイロットシンボルとスロット番号１１のＴＰＣ、ＴＦＣＩが順方向(Downlink)ＤＰＣＣＨの断続送信単位に設定され、スロット番号１３のパイロットシンボルとスロット番号１４のＴＰＣ、ＴＦＣＩが順方向(Downlink)ＤＰＣＣＨの断続送信単位に設定される。
【０１２９】
＜Case２＞は断続送信が開始される時、逆方向(Uplink)ＤＰＣＣＨが順方向(Downlink)ＤＰＣＣＨより先に伝送される場合を示したものである。この時、隣接した２個のスロットであるスロット番号０のパイロットシンボルとスロット番号１のＴＰＣ、ＴＦＣＩが順方向(Downlink)ＤＰＣＣＨの断続送信単位に設定され、スロット番号３のパイロットシンボルとスロット番号４のＴＰＣ、ＴＦＣＩが順方向(Downlink)ＤＰＣＣＨの断続送信単位に設定され、スロット番号６のパイロットシンボルとスロット番号７のＴＰＣ、ＴＦＣＩが順方向(Downlink)ＤＰＣＣＨの断続送信単位に設定され、スロット番号９のパイロットシンボルとスロット番号１０のＴＰＣ、ＴＦＣＩが順方向(Downlink)ＤＰＣＣＨの断続送信単位に設定され、スロット番号１２のパイロットシンボルとスロット番号１３のＴＰＣ、ＴＦＣＩが順方向(Downlink)ＤＰＣＣＨの断続送信単位に設定される。
【０１３０】
図１２Ｂの＜case３＞は、断続送信が開始される時、逆方向(Uplink)ＤＰＣＣＨが順方向(Downlink)ＤＰＣＣＨより先に伝送される場合を示したものである。この時、隣接した２個のスロットであるスロット番号１のパイロットシンボルとスロット番号２のＴＰＣ、ＴＦＣＩが順方向(Downlink)ＤＰＣＣＨの断続送信単位に設定され、スロット番号４のパイロットシンボルとスロット番号５のＴＦＣＩ、ＴＰＣが順方向(Downlink)ＤＰＣＣＨの断続送信単位に設定され、スロット番号７のパイロットシンボルとスロット番号８のＴＰＣ、ＴＦＣＩが順方向(Downlink)ＤＰＣＣＨの断続送信単位に設定され、スロット番号１０のパイロットシンボルとスロット番号１１のＴＰＣ、ＴＦＣＩが順方向(Downlink)ＤＰＣＣＨの断続送信単位に設定され、スロット番号１３のパイロットシンボルとスロット番号１４のＴＰＣ、ＴＦＣＩが順方向(Downlink)ＤＰＣＣＨの断続送信単位に設定される。
【０１３１】
＜Case４＞は、断続送信がスタートされる時、逆方向(Uplink)ＤＰＣＣＨが順方向(Downlink)ＤＰＣＣＨより先に伝送される場合を示したものである。この時、隣接した２個のスロットであるスロット番号１４のパイロットシンボルとスロット番号０のＴＰＣ、ＴＦＣＩが順方向ＤＰＣＣＨの断続送信単位に設定され、スロット番号２のパイロットシンボルとスロット番号３のＴＰＣ、ＴＦＣＩが順方向ＤＰＣＣＨの断続送信単位に設定され、スロット番号５のパイロットシンボルとスロット番号６のＴＰＣ、ＴＦＣＩが順方向(Downlink)ＤＰＣＣＨの断続送信単位に設定され、スロット番号８のパイロットシンボルとスロット番号９のＴＰＣ、ＴＦＣＩが順方向ＤＰＣＣＨの断続送信単位に設定され、スロット番号１１のパイロットシンボルとスロット番号１２のＴＰＣ、ＴＦＣＩが順方向(Downlink)ＤＰＣＣＨの断続送信単位に設定される。
【０１３２】
＜Case５＞は、断続送信がスタートされる時、逆方向(Uplink)ＤＰＣＣＨが順方向(Downlink)ＤＰＣＣＨより先に伝送される場合を示したものである。この時、隣接した２個のスロットであるスロット番号０のパイロットシンボルとスロット番号１のＴＰＣ、ＴＦＣＩが順方向(Downlink)ＤＰＣＣＨの断続送信単位に設定され、スロット番号３のパイロットシンボルとスロット番号４のＴＦＣＩ、ＴＰＣが順方向(Downlink)ＤＰＣＣＨの断続送信単位に設定され、スロット番号６のパイロットシンボルとスロット番号７のＴＰＣ、ＴＦＣＩが順方向(Downlink)ＤＰＣＣＨの断続送信単位に設定され、スロット番号９のパイロットシンボルとスロット番号１０のＴＰＣ、ＴＦＣＩが順方向(Downlink)ＤＰＣＣＨの断続送信単位に設定され、スロット番号１２のパイロットシンボルとスロット番号１３のＴＰＣ、ＴＦＣＩが順方向(Downlink)ＤＰＣＣＨの断続送信単位に設定される。
【０１３３】
図１２Ｃは、本発明の第６実施形態による順方向及び逆方向ＤＰＣＣＨに対する断続送信を示す図である。前記図１２Ｃは、順方向及び逆方向ＤＰＣＣＨの断続送信のための断続率(Gating Rate)が１／５の場合、即ち、全体電力制御群中で１／５の電力制御群に該当する部分で断続送信が発生する場合を示す図である。全体１５個の電力制御群中で３個の電力制御群に該当する部分で断続送信が発生するものである。この時、順方向ＤＰＣＣＨの断続送信単位はスロット単位と異なるように設定される。即ち、隣接した２個のスロットでｎ番目スロットのパイロットシンボルとｎ＋１番目スロットのＴＦＣＩ、ＴＰＣを順方向ＤＰＣＣＨの断続送信単位に設定する。従って、５個のスロットを基準にパイロットシンボル、ＴＰＣシンボル及びＴＦＣＩシンボルを伝送し、シンボルの伝送順序はｎ番目スロットのパイロットシンボルを伝送し、以後ｎ＋１番目スロットのＴＰＣシンボル及びＴＦＣＩシンボルを伝送する。この時、前記ＴＰＣシンボル及びＴＦＣＩシンボルは連続伝送される。
【０１３４】
前記図１２Ｃを参照すると、隣接した２個のスロットであるスロット番号３のパイロットシンボルとスロット番号４のＴＰＣ、ＴＦＣＩが順方向ＤＰＣＣＨの断続送信単位に設定され、スロット番号８のパイロットシンボルとスロット番号９のＴＰＣ、ＴＦＣＩが順方向ＤＰＣＣＨの断続送信単位に設定され、スロット番号１３のパイロットシンボルとスロット番号１４のＴＰＣ、ＴＦＣＩが順方向ＤＰＣＣＨの断続送信単位に設定される。
【０１３５】
図１２Ｄは、本発明の第７実施形態による順方向及び逆方向ＤＰＣＣＨに対する断続送信を示す図である。
【０１３６】
前記図１２Ｄを参照すると、断続送信パターンは、制御維持副状態で逆方向ＤＰＣＣＨの最終電力制御群を断続送信しないことに設定する。このような断続送信パターンは、基地局がフレームの最終電力制御群のパイロットシンボルを利用してチャネル推定を遂行することができるので、チャネル推定性能が優秀である。また基地局が移動局から送信されたＦＢＩビットをプロセッシングする場合、所与される時間を増加させることができる。
【０１３７】
図１２Ｅは、本発明の第８実施形態による順方向及び逆方向ＤＰＣＣＨに対する断続送信を示す図であり、制御維持副状態で断続送信を遂行する間、順方向メッセージ送信による断続送信パターンを示している。
【０１３８】
前記図１２Ｅを参照すると、順方向メッセージが送信されるフレーム区間の間(順方向ＤＰＤＣＨ伝送区間)に、パイロット及びＴＦＣＩは断続送信を中断し、断続パターンによってＴＰＣのみを継続的に断続送信することもできる。
前記図１２Ｅに示されたように、本発明は、逆方向メッセージが送信されるフレーム区間の間(逆方向ＤＰＤＣＨ伝送区間)に、パイロット及びＴＦＣＩは断続送信を中断し、ＦＢＩ及びＴＰＣを断続パターンによって継続的に送信することもできる。
【０１３９】
上述したように、本発明の実施形態に従って移動通信システムが断続送信機能を遂行する場合、前記断続送信中である状態でも前記専用制御チャネルのデータの送信電力を制御できなければならない。以下の説明では、移動局と基地局が断続送信中に、相手側から受信した信号を測定して電力制御ビットを生成及び伝送し、また受信される電力制御ビットを利用してデータの送信電力を制御する動作を説明する。
【０１４０】
専用制御チャネルデータの断続送信は、上位階層で指示する時間にスタートし、終了する。前記断続送信モードで、基地局と移動局は送信するＤＰＣＨにＤＰＤＣＨが存在するか否かによって、その動作が変わる。前記ＤＰＣＨにＤＰＤＣＨが含まれていない場合、送信側の断続送信制御器は前記専用制御チャネルのデータを制御して該当するスロットグループで位置が選定されたスロットのデータのみを送信し、その以外のスロットのデータは送信されないように制御する。この時、前記スロットグループ単位に断続制御するスロットの位置を決定する方法は、上述したように予め決定された断続パターン(gating pattern)によって遂行されることができ、また上述したようにＳＦＮ、またはＣＦＮなどを利用して不規則なパターンにスロットの断続位置を決定することもできる。しかし、ＤＰＣＨにＤＰＤＣＨが含まれている場合、送信器はすべてのタイムスロットで送信する。しかし受信側は、受信されるフレームのすべてのスロット中で選定された断続位置のスロットのみを電力制御の観点で有効なスロットに認識する。前記のような断続送信は、基地局と移動局間の順方向リンクのみで適用することもでき、また逆方向リンクと順方向リンクに同時に適用することもできる。前記断続送信を遂行する場合の電力制御は、前記順方向リンクのみに断続送信が適用される場合と、逆方向リンクと順方向リンクに同時に断続送信が適用される場合に、相異なるように動作する。
【０１４１】
前記逆方向リンク電力制御は、基地局が逆方向リンクの通信品質(quality)を測定して電力制御ビット(ＴＰＣ、Transmit Power Control)を発生する方法と、前記発生された電力制御ビットを順方向リンクを通じて伝送した場合、移動局がこれを受信して移動局送信電力を調節する方法と、を含む。順方向リンク電力制御は、移動局が順方向リンクの通信品質を測定して電力制御ビットを発生する方法と、前記発生された電力制御ビットを逆方向リンクを通じて伝送した場合、基地局がこれを受信して基地局送信電力を調節する方法と、を含む。前記断続送信中の電力制御方法を説明する時、前記電力制御ビットを発生し、伝送する時点と、受信された電力制御ビットを利用して送信電力を調節する時点を基地局と移動局の観点で区分して説明する。
【０１４２】
先ず、逆方向リンクと順方向リンクに断続送信動作が遂行される場合の電力制御動作を説明する。
前記逆方向リンクと順方向リンクに断続送信動作が遂行されると、基地局と移動局が送信することができるスロットが不連続的なパターンに存在するようになるので、不連続パターンを考慮して電力制御を実施すべきである。図１７Ａ及び図１７Ｂは逆方向リンクと順方向リンクすべて断続送信が遂行されている時の電力制御に対する時間関係を示す図である。
【０１４３】
移動局の逆方向送信電力制御動作
前記移動局は、基地局から一番最近に受信した有効なスロットから、即ち順方向リンクの断続送信位置のスロット(gating on slot)で電力制御ビットを抽出し、この電力制御ビットの値によって移動局の専用制御チャネルデータの送信電力を調節する。この時、前記不連続断続パターンの種類によって順方向の有効なスロットと逆方向の有効なスロットが相異なる場合があるので、前記移動局は受信された有効な電力制御ビットを貯蔵し、送信可能なスロットになると、これを適用して送信する。
【０１４４】
順方向電力制御のためのＴＰＣビットの発生及び送信動作
前記移動局は順方向リンクの有効なスロット(gating on slot)の間、順方向リンクの通信品質を測定して電力制御ビットを発生する。このように発生された電力制御ビットは有効な逆方向スロットが伝送されるまで貯蔵される。
【０１４５】
基地局の順方向送信電力調節動作
前記基地局は移動局から一番最近受信した有効なスロットから、即ち逆方向リンクで送信されたスロットで電力制御ビットを抽出し、この電力制御ビットの値によって基地局送信電力を調節する。この時、不連続断続パターンの種類によって、逆方向リンクの有効なスロットと順方向リンクの有効なスロットが相異なる場合があるので、前記移動局は受信した有効な電力制御ビットを貯蔵し、送信可能なスロットになると、これを適用して送信する。
【０１４６】
逆方向電力制御のためのＴＰＣビット発生及び送信動作
前記基地局は、逆方向リンクの有効なスロットの間、逆方向リンクの通信品質(quality)を測定して電力制御ビットを発生する。このように発生された電力制御ビットは、有効な順方向リンクスロットが伝送されるまで貯蔵される。
次に、断続送信機能を有する移動通信システムで順方向リンクのみに断続送信が適用される時の電力制御動作を説明する。
【０１４７】
移動通信システムで順方向リンクのみに断続送信が適用されると、移動局は前記専用制御チャネルのデータを連続的に送信するが、基地局は上述したようにスロットグループ単位に選定される断続位置のスロットデータのみを送信する。従って基地局は、上述したように送信可能なスロットが不連続的なパターンに存在するので、前記移動局と基地局がすべて断続送信を遂行する場合と異なる方法の電力制御を実施すべきである。図１８Ａ及び図１８Ｂは、順方向リンクのみで断続送信が適用される時の電力制御動作に対する時間関係を示す図である。
【０１４８】
移動局の逆方向送信電力制御動作
前記移動局は、基地局から一番最近受信した有効なスロットから、即ち、前記断続スロットグループ単位に選定された順方向リンクの断続位置のスロットから電力制御ビットを抽出し、この電力制御ビットの値によって移動局送信電力を調節する。この時、前記不連続断続パターンの種類によって、順方向リンクの有効なスロットと逆方向リンクの有効なスロットが相異なる場合があるので、移動局は受信された有効な電力制御ビットを貯蔵し、送信可能なスロットになると、これを適用して送信する。
【０１４９】
順方向電力制御のためのＴＰＣビット発生及び送信動作
前記移動局は順方向リンクの有効なスロットの間、順方向リンクの通信品質を測定して電力制御ビットを発生する。移動局は、このように発生された電力制御ビットを直ちに基地局に伝送し、新しい電力制御ビットが発生されるまで反復して送信する。前記移動局が電力制御ビットを反復して送信する理由は、基地局で順方向リンクを通じて送信することができるスロットになるまで、一つ以上の電力制御ビットを基地局が受信するようになり、このように反復伝送して電力制御ビット誤り確率を低減するためである。
【０１５０】
基地局の順方向送信電力制御動作
前記基地局は、移動局から受信した電力制御ビットを抽出して、この電力制御ビットの値によって基地局送信電力を調節する。この時、基地局は移動局が反復して送信した少なくとも一つ以上の電力制御ビットを利用して電力制御ビットを抽出することができる。
【０１５１】
上述したように、本発明の実施形態では、逆方向リンクの制御チャネル信号を断続し、順方向リンクの制御チャネル信号を断続しないか、または順方向リンクの制御チャネル信号を断続し、逆方向リンクの制御チャネル信号を断続しない場合、または逆方向リンク及び順方向リンクの専用制御チャネルのデータをすべて断続する場合にも基地局及び移動局の送信電力を制御することができる。
【０１５２】
【発明の効果】
上述したように、本発明は基地局での同期再捕捉過程にかかる時間を最小化すると共に、逆方向ＤＰＣＣＨの連続的な送信による干渉増加及び移動局使用時間減少、順方向リンクへの逆方向電力制御ビット送信による干渉増加などを最小化させることにより、容量を増大させることができる効果がある。
【図面の簡単な説明】
【図１Ａ】  従来のパケットデータサービスのための状態遷移図である。
【図１Ｂ】  従来のＤＣＨ／ＤＣＨ状態内の使用者データ活性副状態と制御維持副状態間の状態遷移図である。
【図２Ａ】  符号分割多重接続通信システムの順方向ＤＰＤＣＨとＤＰＣＣＨのスロット構成図である。
【図２Ｂ】  符号分割多重接続通信システムの逆方向ＤＰＤＣＨとＤＰＣＣＨのスロット構成図である。
【図３Ａ】  従来の符号分割多重接続通信システムの基地局送信装置の簡略な構成図である。
【図３Ｂ】  従来の符号分割多重接続通信システムの移動局送信装置の簡略な構成図である。
【図４Ａ】  従来の符号分割多重接続通信システムの制御維持副状態での逆方向ＤＰＤＣＨの伝送が中断された場合、順方向ＤＰＣＣＨ及び逆方向ＤＰＣＣＨ信号送信方法を示す図である。
【図４Ｂ】  従来の符号分割多重接続通信システムの制御維持副状態での順方向ＤＰＤＣＨの伝送が中断された場合、順方向ＤＰＣＣＨ及び逆方向ＤＰＣＣＨ信号送信方法を示す図である。
【図５Ａ】  本発明の一実施形態によってＤＰＣＣＨを断続送信する基地局の送信装置構成を示す図である。
【図５Ｂ】  本発明の一実施形態によってＤＰＣＣＨを断続送信する移動局の送信装置構成を示す図である。
【図５Ｃ】  断続位置選定器を備えてＤＰＣＣＨを断続送信する本発明の実施形態による基地局送信装置の構成を示す図である。
【図５Ｄ】  断続位置選定器を備えてＤＰＣＣＨを断続送信する本発明の実施形態による移動局送信装置の構成を示す図である。
【図６Ａ】  本発明の実施形態による制御維持副状態で逆方向ＤＰＣＣＨの規則的、または断続的送信パターンによる信号送信方法を示す図である。
【図６Ｂ】  本発明の実施形態による制御維持副状態で逆方向ＤＰＣＣＨの規則的、または断続的送信パターンによるさらに他の信号送信方法を示す図である。
【図７Ａ】  本発明の実施形態による制御維持副状態で逆方向ＤＰＣＣＨを断続的送信する間、逆方向ＤＰＤＣＨメッセージが発生した場合の信号送信方法を示す図である。
【図７Ｂ】  本発明の実施形態による制御維持副状態で逆方向ＤＰＣＣＨを断続的送信する間、逆方向ＤＰＤＣＨメッセージが発生した場合のさらに他の信号送信方法を示す図である。
【図８Ａ】  本発明の実施形態に応じて、順方向ＤＰＤＣＨの伝送が中断された場合、順方向及び逆方向リンクの信号送信方法を示した図である。
【図８Ｂ】  本発明の実施形態に応じて、逆方向ＤＰＤＣＨの伝送が中断された場合、順方向及び逆方向リンクの信号送信方法を示した図である。
【図８Ｃ】  本発明の実施形態によって、順方向ＤＰＤＣＨの伝送が中断された場合、順方向及び逆方向リンクの信号送信方法を示したさらに他の図である。
【図８Ｄ】  本発明の実施形態によって、逆方向ＤＰＤＣＨの伝送が中断された場合、順方向及び逆方向リンクの信号送信方法を示したさらに他の図である。
【図９Ａ】  本発明の実施形態によって、順方向ＤＰＤＣＨの伝送が中断された場合、順方向及び逆方向リンクの信号送信方法を示した図(順方向ＤＰＣＣＨ断続的送信)である。
【図９Ｂ】  本発明の実施形態によって、逆方向ＤＰＤＣＨの伝送が中断された場合、る順方向及び逆方向リンクの信号送信方法を示したさらに他の図(順方向ＤＰＣＣＨ断続的送信)である。
【図１０Ａ】  本発明の他の実施形態による基地局送信装置の構成図である。
【図１０Ｂ】  本発明の他の実施形態による移動局送信装置の構成図である。
【図１１Ａ】  本発明の第１実施形態による順方向及び逆方向ＤＰＣＣＨに対する断続送信を示す図である。
【図１１Ｂ】  本発明の第２実施形態による順方向及び逆方向ＤＰＣＣＨに対する断続送信を示す図である。
【図１１Ｃ】  本発明の第３実施形態による順方向及び逆方向ＤＰＣＣＨに対する断続送信を示す図である。
【図１１Ｄ】  本発明の第４実施形態による順方向及び逆方向ＤＰＣＣＨに対する断続送信を示す図である。
【図１２Ａ】  本発明の第５実施形態による順方向及び逆方向ＤＰＣＣＨに対する断続送信を示す図である。
【図１２Ｂ】  本発明の第５実施形態による順方向及び逆方向ＤＰＣＣＨに対する断続送信を示す図である。
【図１２Ｃ】  本発明の第６実施形態による順方向及び逆方向ＤＰＣＣＨに対する断続送信を示す図である。
【図１２Ｄ】  本発明の第７実施形態による順方向及び逆方向ＤＰＣＣＨに対する断続送信を示す図である。
【図１２Ｅ】  本発明の第８実施形態による順方向及び逆方向ＤＰＣＣＨに対する断続送信を示す図である。
【図１３Ａ】  本発明の第１実施形態による順方向及び逆方向ＤＰＣＣＨの断続送信時、位置選定ビットを決定する方法を示す図である。
【図１３Ｂ】  本発明の第２実施形態による順方向及び逆方向ＤＰＣＣＨの断続送信時、位置選定ビットを決定する方法を示す図である。
【図１３Ｃ】  本発明の第３実施形態による順方向及び逆方向ＤＰＣＣＨの断続送信時、位置選定ビットを決定する方法を示す図である。
【図１３Ｄ】  本発明の第４実施形態による順方向及び逆方向ＤＰＣＣＨの断続送信時、位置選定ビットを決定する方法を示す図である。
【図１４Ａ】  本発明の第９実施形態による順方向及び逆方向ＤＰＣＣＨに対する断続送信を示す図である。
【図１４Ｂ】  本発明の第１０実施形態による順方向及び逆方向ＤＰＣＣＨに対する断続送信を示す図である。
【図１４Ｃ】  本発明の第１１実施形態による順方向及び逆方向ＤＰＣＣＨに対する断続送信を示す図である。
【図１４Ｄ】  本発明の第１２実施形態による順方向及び逆方向ＤＰＣＣＨに対する断続送信を示す図である。
【図１５Ａ】  本発明の実施形態による逆方向スクランブリング符号から断続送信パターンを発生するために必要な一部シーケンスを抽出する方法を示す図である。
【図１５Ｂ】  本発明の実施形態による固定されたシーケンスから断続送信パターンを発生するために必要なｎビットシーケンスを抽出する方法を示す図である。
【図１５Ｃ】  本発明の実施形態における、電力制御スロットグループ中の、伝送スロット番号の発生規則を示す図である。
【図１６】  本発明の実施形態による図１５Ａの逆方向スクランブリング符号、または図１５Ｂの固定されたシーケンスをＣＦＮと共に使用して、前記電力制御群の断続位置を選定する断続位置選定器の構成を示す図である。
【図１７Ａ】  本発明の実施形態による順方向及び逆方向リンクで１／３断続率が適用される場合、電力制御時間関係を示した図である。
【図１７Ｂ】  本発明の実施形態による順方向及びと逆方向リンクで１／５断続率が適用される場合、電力制御時間関係を示した図である。
【図１８Ａ】  本発明の実施形態による順方向リンクのみで１／３断続率が適用される場合、電力制御時間関係を示した図である。
【図１８Ｂ】  本発明の実施形態による順方向リンクのみで１／５断続率が適用される場合、電力制御時間関係を示した図である。
【符号の説明】
１１１，１１４，１２０，１２１，１２２，１２６，１２７，２１１，２１２，２１７，２１８，２３１，２２１，２２２，２２３，２２４，２２５，２２６，１３１，１３２，１３５，１３６，１３７，１３８…乗算器
１１３…第１信号変換器
１１５，２１３…第１合算器
１１８，２２９…信号変換器
１１９，１２５，２１５，２３０…低域ろ波器
１２３，２２７…第２合算器
１３３…第２信号変換器
１３４…第４信号変換器
１４１，２４１…断続送信制御器
【図１Ａ】
0003961829.tif 000019
【図１Ｂ】
0003961829.tif 000020
【図２Ａ】
0003961829.tif 000021
【図２Ｂ】
0003961829.tif 000022
【図３Ａ】
0003961829.tif 000023
【図３Ｂ】
0003961829.tif 000024
【図４Ａ】
0003961829.tif 000025
【図４Ｂ】
0003961829.tif 000026
【図５Ａ】
0003961829.tif 000027
【図５Ｂ】
0003961829.tif 000028
【図５Ｃ】
0003961829.tif 000029
【図５Ｄ】
0003961829.tif 000030
【図６Ａ】
0003961829.tif 000031
【図６Ｂ】
0003961829.tif 000032
【図７Ａ】
0003961829.tif 000033
【図７Ｂ】
0003961829.tif 000034
【図８Ａ】
0003961829.tif 000035
【図８Ｂ】
0003961829.tif 000036
【図８Ｃ】
0003961829.tif 000037
【図８Ｄ】
0003961829.tif 000038
【図９Ａ】
0003961829.tif 000039
【図９Ｂ】
0003961829.tif 000040
【図１０Ａ】
0003961829.tif 000041
【図１０Ｂ】
0003961829.tif 000042
【図１１Ａ】
0003961829.tif 000043
【図１１Ｂ】
0003961829.tif 000044
【図１１Ｃ】
0003961829.tif 000045
【図１１Ｄ】
0003961829.tif 000046
【図１２Ａ】
0003961829.tif 000047
【図１２Ｂ】
0003961829.tif 000048
【図１２Ｃ】
0003961829.tif 000049
【図１２Ｄ】
0003961829.tif 000050
【図１２Ｅ】
0003961829.tif 000051
【図１３Ａ】
0003961829.tif 000052
【図１３Ｂ】
0003961829.tif 000053
【図１３Ｃ】
0003961829.tif 000054
【図１３Ｄ】
0003961829.tif 000055
【図１４Ａ】
0003961829.tif 000056
【図１４Ｂ】
0003961829.tif 000057
【図１４Ｃ】
0003961829.tif 000058
【図１４Ｄ】
0003961829.tif 000059
【図１５Ａ】
0003961829.tif 000060
【図１５Ｂ】
0003961829.tif 000061
【図１５Ｃ】
0003961829.tif 000062
【図１６】
0003961829.tif 000063
【図１７Ａ】
0003961829.tif 000064
【図１７Ｂ】
0003961829.tif 000065
【図１８Ａ】
0003961829.tif 000066
【図１８Ｂ】
0003961829.tif 000067